(57)【要約】  本発明は情報収集方法、その装置、プログラム及び記録媒体を提供し、前記方法は、所定メンバーからグループ送信された、誘導テキスト及び画面切替命令を含むトリガーメッセージを受けるステップと、前記誘導テキストに基づき対応のテキストリンクを作成するとともに、グループチャット画面に前記テキストリンクを表示するステップと、前記テキストリンクに対する所定トリガーイベントをモニタリングした場合、前記画面切替命令を実行することで対応の目標画面に切替えて目標情報を収集するステップと、を含む。本発明は、グループチャット実行中においてメンバーの目標情報を迅速に収集することを実現でき、ユーザのグループチャット体験の向上に役立てる。  【選択図】図１
2017531275.tif 000002
【特許請求の範囲】
【請求項１】
所定メンバーからグループ送信された、誘導テキスト及び画面切替命令を含むトリガーメッセージを受けるステップと、
前記誘導テキストに基づき、対応のテキストリンクを作成するとともに、グループチャット画面に前記テキストリンクを表示するステップと、
前記テキストリンクに対する所定トリガーイベントをモニタリングした場合、前記画面切替命令を実行することで、対応の目標画面に切替えて目標情報を収集するステップと、を含む
ことを特徴とする情報収集方法。
【請求項２】
ローカルメンバーが前記所定メンバーである場合、前記目標画面は、各メンバーに前記トリガーメッセージをグループ送信することをトリガーするための所定トリガーオプションを含む
ことを特徴とする請求項１に記載の方法。
【請求項３】
前記方法はさらに、
前記所定トリガーオプションに対する所定トリガーイベントをモニタリングした場合、第１の設定画面を出力するステップと、
前記第１の設定画面に入力された誘導テキストを取得するステップと、
取得された前記誘導テキスト及び前記目標画面に切替えるための所定画面切替命令に基づき、前記トリガーメッセージを作成するとともに、該トリガーメッセージを各メンバーにグループ送信するステップと、を含む
ことを特徴とする請求項２に記載の方法。
【請求項４】
前記方法はさらに、
前記所定トリガーオプションに対する所定トリガーイベントをモニタリングした場合、第２の設定画面を出力するステップと、
ユーザにより前記第２の設定画面に入力された誘導テキストを取得するステップと、
ユーザにより前記第２の設定画面から選択された目標画面を取得するとともに、該目標画面に切替えるための画面切替命令を生成するステップと、
取得された前記誘導テキスト及び生成した前記画面切替命令に基づき、前記トリガーメッセージを作成して各メンバーにグループ送信するステップと、を含む
ことを特徴とする請求項２に記載の方法。
【請求項５】
グループチャット画面に前記テキストリンクを表示するステップは、
グループチャット画面に前記テキストリンクを強調表示するステップを含む
ことを特徴とする請求項１に記載の方法。
【請求項６】
前記画面切替命令を実行することで対応の目標画面に切替えて目標情報を収集するステップは、
前記画面切替命令を実行して対応の目標画面に切替えるステップと、
前記目標画面に入力された目標情報を取得するステップと、
取得された前記目標情報を対応のサービス側にアップロードし、前記目標情報を収集するステップと、を含む
ことを特徴とする請求項１に記載の方法。
【請求項７】
前記目標画面は、グループアルバム画面、グループ出席画面、及びグループ活動画面を含み、
前記目標情報は、イメージ情報、地理的位置情報、サウンド情報、及びテキスト情報を含む
ことを特徴とする請求項１〜６のいずれか１項に記載の方法。
【請求項８】
所定メンバーからグループ送信された、誘導テキスト及び画面切替命令を含むトリガーメッセージを受けるように構成されている受信モジュールと、
前記誘導テキストに基づき対応のテキストリンクを作成するとともに、グループチャット画面に前記テキストリンクを表示するように構成されている表示モジュールと、
前記テキストリンクに対する所定トリガーイベントをモニタリングした場合、前記画面切替命令を実行することによって、対応の目標画面に切替えて目標情報を収集するように構成されている切替モジュールと、を含む
ことを特徴とする情報收集装置。
【請求項９】
ローカルメンバーが前記所定メンバーである場合、前記目標画面は、各メンバーに前記トリガーメッセージをグループ送信することをトリガーするための所定トリガーオプションを含む
ことを特徴とする請求項８に記載の装置。
【請求項１０】
前記装置はさらに、
前記所定トリガーオプションに対する所定トリガーイベントをモニタリングした場合、第１の設定画面を出力するように構成されている第１の出力モジュールと、
前記第１の設定画面に入力された誘導テキストを取得するように構成されている第１の取得モジュールと、
前記第１の取得モジュールにより取得された前記誘導テキスト及び前記目標画面に切替えるための所定画面切替命令に基づき、前記トリガーメッセージを作成して各メンバーにグループ送信するように構成されている第１のグループ送信モジュールと、を含む
ことを特徴とする請求項９に記載の装置。
【請求項１１】
前記装置はさらに、
前記所定トリガーオプションに対する所定トリガーイベントをモニタリングした場合、第２の設定画面を出力するように構成されている第２の出力モジュールと、
ユーザにより前記第２の設定画面に入力された誘導テキストを取得するように構成されている第２の取得モジュールと、
ユーザにより前記第２の設定画面から選択された目標画面を取得するとともに、該目標画面に切替えるための画面切替命令を生成するように構成されている第３の取得モジュールと、
前記第２の取得モジュールにより取得された前記誘導テキスト及び前記第３の取得モジュールにより生成された前記画面切替命令に基づき、前記トリガーメッセージを作成して各メンバーにグループ送信するように構成されている第２のグループ送信モジュールと、を含む
ことを特徴とする請求項９に記載の装置。
【請求項１２】
前記表示モジュールは、グループチャット画面に前記テキストリンクを強調表示するように構成されている表示サブモジュールを含む
ことを特徴とする請求項８に記載の装置。
【請求項１３】
前記切替モジュールは、
前記画面切替命令を実行して対応の目標画面に切替えるように構成されている切替サブモジュールと、
前記目標画面に入力された目標情報を取得するように構成されている取得サブモジュールと、
取得された前記目標情報を対応のサービス側にアップロードすることによって、前記目標情報を収集するように構成されているアップロードサブモジュールと、を含む
ことを特徴とする請求項８に記載の装置。
【請求項１４】
前記目標画面は、グループアルバム画面、グループ出席画面、及びグループ活動画面を含み、
前記目標情報は、イメージ情報、地理的位置情報、サウンド情報、及びテキスト情報を含む
ことを特徴とする請求項８〜１３のいずれか１項に記載の装置。
【請求項１５】
プロセッサと、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき、対応のテキストリンクを作成するとともに、グループチャット画面に前記テキストリンクを表示し、
前記テキストリンクに対する所定トリガーイベントをモニタリングした場合、前記画面切替命令を実行することで、対応の目標画面に切替えて目標情報を収集する
ことを特徴とする情報収集装置。
【発明の詳細な説明】
【技術分野】
【０００１】
本発明は通信分野に関し、特に、情報収集方法およびその装置に関する。
【背景技術】
【０００２】
グループチャットの実行中において、一般的には、メンバーのフィードバック情報を迅速に収集する必要がある。例えば、一つのグループ活動を開催する際に、グループ管理者は各メンバーの該グループ活動に対するフィードバック意見を直ちに知る必要がある。したがって、如何にグループチャットの実行中に各メンバーのフィードバック情報を迅速に収集するかということは、ユーザのグループチャット体験にとってとても重要である。
【発明の概要】
【０００３】
従来技術における既存の問題を解消するために、本発明は情報収集方法およびその装置を提供する。
【０００４】
本発明の実施例の第１の局面によれば、情報収集方法を提供し、前記方法は、
所定メンバーからグループ送信された、誘導テキスト及び画面切替命令を含むトリガーメッセージを受けるステップと、
前記誘導テキストに基づき対応のテキストリンクを作成するとともに、グループチャット画面に前記テキストリンクを表示するステップと、
前記テキストリンクに対する所定トリガーイベントをモニタリングした場合、前記画面切替命令を実行することで対応の目標画面に切替えて目標情報を収集するステップと、を含む。
【０００５】
好ましくは、ローカルメンバーが前記所定メンバーである場合、前記目標画面は、各メンバーに前記トリガーメッセージをグループ送信することをトリガーするための所定トリガーオプションを含む。
【０００６】
好ましくは、前記方法はさらに、
前記所定トリガーオプションに対する所定トリガーイベントをモニタリングした場合、第１の設定画面を出力するステップと、
前記第１の設定画面に入力された誘導テキストを取得するステップと、
取得された前記誘導テキスト及び前記目標画面に切替えるための所定画面切替命令に基づき、前記トリガーメッセージを作成するとともに、該トリガーメッセージを各メンバーにグループ送信するステップと、を含む。
【０００７】
好ましくは、前記方法はさらに、
前記所定トリガーオプションに対する所定トリガーイベントをモニタリングした場合、第２の設定画面を出力するステップと、
ユーザにより前記第２の設定画面に入力された誘導テキストを取得するステップと、
ユーザにより前記第２の設定画面から選択された目標画面を取得するとともに、該目標画面に切替えるための画面切替命令を生成するステップと、
取得された前記誘導テキスト及び生成した前記画面切替命令に基づき、前記トリガーメッセージを作成して各メンバーにグループ送信するステップと、を含む。
【０００８】
好ましくは、グループチャット画面に前記テキストリンクを表示するステップは、
グループチャット画面に前記テキストリンクを強調表示するステップを含む。
【０００９】
好ましくは、前記画面切替命令を実行することで対応の目標画面に切替えて目標情報を収集するステップは、
前記画面切替命令を実行し対応の目標画面に切替えるステップと、
前記目標画面に入力された目標情報を取得するステップと、
取得された前記目標情報を対応のサービス側にアップロードし、前記目標情報を収集するステップと、を含む。
【００１０】
好ましくは、前記目標画面はグループアルバム画面、グループ出席画面、及びグループ活動画面を含み、
前記目標情報はイメージ情報、地理的位置情報、サウンド情報、及びテキスト情報を含む。
【００１１】
本発明の実施例の第２の局面によれば、情報收集装置を提供し、前記装置は、
所定メンバーからグループ送信された、誘導テキスト及び画面切替命令を含むトリガーメッセージを受けるように構成されている受信モジュールと、
前記誘導テキストに基づき対応のテキストリンクを作成するとともに、グループチャット画面に前記テキストリンクを表示するように構成されている表示モジュールと、
前記テキストリンクに対する所定トリガーイベントをモニタリングした場合、前記画面切替命令を実行することによって対応の目標画面に切替えて目標情報を収集するように構成されている切替モジュールと、を含む。
【００１２】
好ましくは、ローカルメンバーが前記所定メンバーである場合、前記目標画面は、各メンバーに前記トリガーメッセージをグループ送信することをトリガーするための所定トリガーオプションを含む。
【００１３】
好ましくは、前記装置はさらに、
前記所定トリガーオプションに対する所定トリガーイベントをモニタリングした場合、第１の設定画面を出力するように構成されている第１の出力モジュールと、
前記第１の設定画面に入力された誘導テキストを取得するように構成されている第１の取得モジュールと、
前記第１の取得モジュールにより取得された前記誘導テキスト及び前記目標画面に切替えるための所定画面切替命令に基づき、前記トリガーメッセージを作成して各メンバーにグループ送信するように構成されている第１のグループ送信モジュールと、を含む。
【００１４】
好ましくは、前記装置はさらに、
前記所定トリガーオプションに対する所定トリガーイベントをモニタリングした場合、第２の設定画面を出力するように構成されている第２の出力モジュールと、
ユーザにより前記第２の設定画面に入力された誘導テキストを取得するように構成されている第２の取得モジュールと、
ユーザにより前記第２の設定画面から選択された目標画面を取得するとともに、該目標画面に切替えるための画面切替命令を生成するように構成されている第３の取得モジュールと、
前記第２の取得モジュールにより取得された前記誘導テキスト及び前記第３の取得モジュールにより生成された前記画面切替命令に基づき、前記トリガーメッセージを作成して各メンバーにグループ送信するように構成されている第２のグループ送信モジュールと、を含む。
【００１５】
好ましくは、前記表示モジュールは、グループチャット画面に前記テキストリンクを強調表示するように構成されている表示サブモジュールを含む。
【００１６】
好ましくは、前記切替モジュールは、
前記画面切替命令を実行して対応の目標画面に切替えるように構成されている切替サブモジュールと、
前記目標画面に入力された目標情報を取得するように構成されている取得サブモジュールと、
取得された前記目標情報を対応のサービス側にアップロードすることによって、前記目標情報を収集するように構成されているアップロードサブモジュールと、を含む。
【００１７】
好ましくは、前記目標画面はグループアルバム画面、グループ出席画面、及びグループ活動画面を含み、
前記目標情報はイメージ情報、地理的位置情報、サウンド情報、及びテキスト情報を含む。
【００１８】
本発明の実施例の第３の局面によれば、情報收集装置は、
プロセッサと、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき対応のテキストリンクを作成するとともに、グループチャット画面に前記テキストリンクを表示し、
前記テキストリンクに対する所定トリガーイベントをモニタリングした場合、前記画面切替命令を実行することで対応の目標画面に切替えて目標情報を収集する。
【００１９】
本発明の実施例に係る技術方案は、以下の有益な効果を有する。
【００２０】
本発明の上記の実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００２１】
以上の一般的な記述及び以下の詳細な記述は、例示のものに過ぎず、本開示を限定するものではないと理解すべきである。
【図面の簡単な説明】
【００２２】
ここでの図面は、本明細書の一部として、本発明に適切な実施例を示し、明細書と合わせて本発明の原理を解釈する。
【図１】例示的な実施例における情報収集方法のフローを模式的に示す図である。
【図２】例示的な実施例における他の情報収集方法のフローを模式的に示す図である。
【図３】例示的な実施例における情報收集装置を模式的に示す図である。
【図４】例示的な実施例における他の情報收集装置を模式的に示す図である。
【図５】例示的な実施例における他の情報收集装置を模式的に示す図である。
【図６】例示的な実施例における他の情報收集装置を模式的に示す図である。
【図７】例示的な実施例における前記情報收集装置に用いる構造を模式的に示す図である。
【発明を実施するための形態】
【００２３】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２４】
本発明で使用されている用語は本発明を規制することでなく、特定実施例を記載することを目的としている。コンテキストで他の意味を明確に表すことではない限り、本発明及び特許請求の範囲で使用されている単数形式の「１種」、「前記」及び「該」といった用語のいずれも多数形式を含む。更に、本発明で使用されている「及び／または」という用語は１つまたは複数の関連する列挙項目の如何なるまたはあらゆる組合せを含むことを指し且つ含むと理解すべきである。
【００２５】
本発明では、「第１の」、「第２の」、「第３の」などの用語を用いて各種の情報を記載しているが、これらの情報はこれらの用語に限られないと理解すべきである。これらの用語は同じ種類の情報を互いに区別するために用いられる。例えば、本発明の範囲であれば、第１の情報は第２の情報とも称され得、類似的には、第２の情報も第１の情報とも称され得る。なお、用語の使用は言語環境によって決められ、例えば、ここに用いられる「仮に」という用語が「・・・の場合」、または「・・・際に」、または「・・・応じて」として理解され得る。
【００２６】
本発明に係わる情報収集方法では、所定メンバーからグループ送信された、誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００２７】
図１に示すように、図１は例示的な実施例における情報収集方法を示し、該情報収集方法が端末に用いられ、下記のステップを含む。
【００２８】
ステップ１０１において、所定メンバーからグループ送信された、誘導テキスト及び画面切替命令を含むトリガーメッセージを受ける。
【００２９】
ステップ１０２において、前記誘導テキストに基づき対応のテキストリンクを作成するとともに、グループチャット画面に前記テキストリンクを表示する。
【００３０】
ステップ１０３において、前記テキストリンクに対する所定トリガーイベントをモニタリングした場合、前記画面切替命令を実行することで対応の目標画面に切替えて目標情報を収集する。
【００３１】
ここで、上記ステップ１０１〜ステップ１０３に係わる技術方案は、次の通り理解され得る。即ち、上記端末にインストールされているグループチャットクライアントソフトウェア（例えば、インスタントメッセージＡＰＰ）には情報収集論理（プログラム）はロードされ、該グループチャットクライアントソフトウェアが上記情報収集論理（プログラム）を作動させることによって、グループチャット実行中においてメンバーの目標情報を迅速に収集することができる。
【００３２】
本実施例において、上記端末はユーザのモバイル端末であり得る。例えば、該モバイル端末はユーザのタッチパネルスマートフォンであり得る。上記目標画面はグループアルバム画面、（サインで出席を取る）グループ出席画面及びグループ活動画面を含み得る。上記目標情報はイメージ情報、地理的位置情報、サウンド情報及びテキスト情報を含み得る。実行する際に、上記目標画面及び目標情報が上記記載内容の言及したコンテンツだけでなくそれ以外のコンテンツをも含み得ることは勿論なことである。
【００３３】
ユーザが端末にインストールされているクライアントソフトウェア（以下、ＡＰＰと略称）を用いてグループチャットをする過程において、該ＡＰＰはユーザに対してグループチャットサービスを提供するだけでなく、一般的には、グループチャットサービス以外の付加価値サービスも提供する。ユーザが該ＡＰＰにより提供される付加価値サービスを利用する場合、該ＡＰＰは、普通、各メンバーの上記付加価値サービスの使用過程において生じる該付加価値サービスに関わる目標情報を迅速に収集することを要する。
【００３４】
例えば、該ＡＰＰはグループチャットサービスを提供するだけでなく、ユーザに対してグループアルバムや、グループ出席や、グループ活動などの機能も提供することができる。ユーザがグループアルバム機能を利用して、あるオフライン活動に関わるグループアルバムを作成した場合、該ＡＰＰは普通今回のオフライン活動に関わる写真を迅速に収集することを要する。ユーザがグループ出席機能を利用している場合、該ＡＰＰは普通各メンバーの地理的位置情報等の出席情報を迅速に収集することを要する。ユーザがグループ活動機能を利用している場合、該ＡＰＰは普通開催されたオフライン活動の主題に対する各メンバーの文字フィードバック情報、または、音声フィードバック情報を迅速に収集することを要する。
【００３５】
従来技術において、各メンバーの上記付加価値サービスの使用過程において生成した、当該付加価値サービスに関わる目標情報が上記ＡＰＰにより収集されることは、普通、ユーザによる自発的なアップロードによって実現されるので、各メンバーの目標情報を迅速に収集することはできない。
【００３６】
本実施例において、各メンバーの目標情報をより迅速に收集するために、上記目標画面において、各メンバーグにトリガーメッセージをグループ送信するための一つのトリガーオプションを予め設定することができる。
【００３７】
所定メンバーが上記ＡＰＰの提供する付加価値サービスを利用する過程において、該トリガーオプションに対し所定トリガー操作を実行することによって、他の各メンバーに一つのトリガーメッセージをグループ送信するようＡＰＰをトリガーすることができる。ここで、該トリガーメッセージは誘導テキスト及び画面切替命令を含み得る。上記誘導テキストは、該所定メンバーがカスタマイズして入力した誘導メッセージであり得、該画面切替命令は、ＡＰＰシステムがカスタマイズした、目標画面に切替るための命令であり得る。
【００３８】
これと同時に、上記所定メンバーが上記付加価値サービスを利用する過程において、上記ＡＰＰは上記トリガーオプションに対するトリガーイベントをリアルタイムでモニタリングした場合に、モニタリングされたトリガーイベントが上記所定トリガー操作に対応する所定トリガーイベントであるか否かを判定することができ、モニタリングされたトリガーイベントが上記所定トリガー操作に対応する所定トリガーイベントであると判定した場合、上記ＡＰＰをトリガーしてその他の各メンバーグに上記トリガーメッセージをグループ送信することができる。
【００３９】
ここに、次のことを説明しておく。実際的に実行する際に、上記目標画面は一つの独立した画面であり得るし、複数のサブ画面を含み得る。例えば、該目標画面がグループ出席画面である場合、該目標画面は通常に一つの独立した画面である。該目標画面がグループアルバム画面である場合、該目標画面は通常に複数のサブアルバムを含み得、このとき、該目標画面がホーム画面だけでなく、上記複数のサブアルバムにそれぞれ対応する複数のサブ画面を含み得る。該目標画面がグループ活動画面である場合、該目標画面は通常に複数の活動主題を含み得、このとき、該目標画面はホーム画面だけでなく、上記複数の活動主題にそれぞれ対応する複数のサブ画面を含み得る。
【００４０】
以下、上記のように記載されている二つの状況に応じて、上記ＡＰＰが各メンバーに前記トリガーメッセージをグループ送信する過程について説明を行う。
【００４１】
示される一実施形態において、上記目標画面が一つの独立した画面である場合、上記トリガーオプションは予め該目標画面の独立した画面に設定され得る。上記ＡＰＰが上記トリガーオプションに対する所定トリガーイベントをモニタリングした場合、上記所定メンバーに第１の設定画面を出力でき、このとき、該所定メンバーは該第１の設定画面に誘導テキストを入力することができる。
【００４２】
入力済みの後、該ＡＰＰは該所定メンバーが該第１の設定画面に入力した誘導テキストを取得でき、そして、取得された該誘導テキスト、及び該目標画面に切替えるための所定画面切替命令に基づき、上記トリガーメッセージを作成する。トリガーメッセージの作成に成功した後、該ＡＰＰのグループチャット機能によって該トリガーメッセージを各メンバーにグループ送信することができる。ここで、上記所定タッチ操作はクリック操作であり得、上記所定タッチイベントは上記クリック操作に対応するクリックイベントであり得る。
【００４３】
示された他の実施形態において、上記目標画面が複数のサブ画面を含む場合、上記トリガーオプションは予めそれぞれ該目標画面のホーム画面、及び各サブ画面に設定されることができる。上記ＡＰＰは、上記サブ画面におけるトリガーオプションに対する所定トリガーイベントをモニタリングした場合、依然として上記所定メンバーに上記第１の設定画面を出力することができる。その具体的な実現過程について詳しく説明しない。
【００４４】
上記ＡＰＰは、上記ホーム画面におけるトリガーオプションに対する所定トリガーイベントをモニタリングした場合、上記所定メンバーに第２の設定画面を出力することができ、このとき、該所定メンバーは該第２の設定画面に誘導テキストを入力するとともに、該第２の設定画面から対応の目標サブ画面を選択することができる。
【００４５】
入力済みの後、該ＡＰＰは、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき、上記トリガーメッセージを作成することができる。トリガーメッセージの作成に成功した後、該ＡＰＰのグループチャット機能によって該トリガーメッセージを各メンバーにグループ送信することができる。
【００４６】
ここで、上記所定メンバーはグループ管理者またはグループ管理者に相当する権限を有するメンバーであり得る。例えば、上記目標画面がグループ出席画面である場合、該所定メンバーはグループ管理者であり得る。上記目標画面がグループアルバム画面である場合、該所定メンバーはグループ管理者及び上記グループアルバム画面における各サブアルバムの作成者であり得る。上記目標画面がグループ活動画面である場合、該所定メンバーはグループ管理者及び上記グループ活動画面における各活動主題の主催者であり得る。
【００４７】
本実施例において、上記ＡＰＰが上記トリガーメッセージをグループ送信して、各メンバーのＡＰＰが上記トリガーメッセージを受けた場合、該トリガーメッセージにおける誘導テキストに基づき、対応するテキストリンクを生成でき、そして、生成されたテキストリンクをグループチャット画面に表示する。ここで、グループチャット画面におけるグループチャットメッセージが多くあるため、上記ＡＰＰが該テキストリンクをグループチャット画面に表示するときに、それを強調表示することができる。例えば、該テキストリンクをハイライトさせる、または、特別なフォントで表示することができる。
【００４８】
該テキストリンクがグループチャット画面に表示された後、各メンバーは該テキストリンクに対し所定トリガー操作を行うことによって、対応の目標画面に切替えるよう上記ＡＰＰをトリガーすることができる。これと同時に、上記ＡＰＰはバックグラウンドで該テキストリンクに対するトリガーイベントをモニタリングすることができ、該テキストリンクに対する、上記所定トリガー操作に対応する所定トリガーイベントをモニタリングした場合、バックグラウンドで上記トリガーメッセージに含まれる画面切替命令を自動的に実行し、対応の目標画面に切替えることができる。対応の目標画面に切替わった後、上記ＡＰＰは前記目標画面に入力された目標情報を取得するとともに、取得された前記目標情報を対応のサービス側にアップロードすることによって、前記目標情報を収集することができる。
【００４９】
以下、２つの具体的な実例を通して上記の技術方案を説明する。
【００５０】
一方では、上記目標画面がグループ出席画面であるとすれば、上記トリガーオプションは該グループ出席画面における「皆さんの出席を誘う」という一つのトリガーオプションであり得る。
【００５１】
ＡＰＰは、該画面における上記トリガーオプションに対するクリックイベントをモニタリングした場合、上記所定メンバーに上記第１の設定画面を出力するとともに、該所定メンバーが該第１の設定画面に入力した誘導テキストを取得し、そして、取得された該誘導テキスト、及び該目標画面に切替るための所定画面切替命令に基づき上記トリガーメッセージを作成する。
【００５２】
ここで、該誘導テキストは「皆さん、自分の地理位置をアップロードしてご出席を取ってください」という誘導テキストであり得、該画面切替命令は該ＡＰＰシステムのカスタマイズした「ｍｉｔａｌｋ：／／ｃｏｎｔｒｏｌ／ｊｕｍｐ＿ｔｏ＿ｌｏｃａｔｉｏｎ」（ロケーション画面に切替えることを表示する）という画面切替命令であり得、この場合、上記ＡＰＰにより生成されたトリガーメッセージは「皆さん、自分の地理位置をアップロードしてご出席を取ってください｛  ｍｉｔａｌｋ：／／ｃｏｎｔｒｏｌ／ｊｕｍｐ＿ｔｏ＿ｌｏｃａｔｉｏｎ  ｝」というトリガーメッセージであり得る。該トリガーメッセージが作成された後、上記ＡＰＰは該トリガーメッセージを現在のグループのうちの他の各メンバーにグループ送信することができる。
【００５３】
他の各メンバーが上記トリガーメッセージを受けた後、グループチャット画面に「皆さん、自分の地理位置をアップロードしてご出席を取ってください」というテキストリンクをハイライトさせ得、この場合、上記ＡＰＰはバックグラウンドで該テキストリンクに対する所定トリガーイベントをリアルタイムでモニタリングすることができる。
【００５４】
上記ＡＰＰは、該テキストリンクに対する所定トリガーイベント（例えば、クリックイベント）をモニタリングした場合、バックグラウンドで上記「ｍｉｔａｌｋ：／／ｃｏｎｔｒｏｌ／ｊｕｍｐ＿ｔｏ＿ｌｏｃａｔｉｏｎ」という命令を自動的に実行してから、ロケーション画面に切替えることができる。ロケーション画面において「位置をアップロードする」というオプションを提供してあり、ローカルメンバーは該オプションをクリックして自分の地理的位置情報をサービス側にアップロードして出席を取ることができる。出席の取り済みの後、グループの各メンバーのチェックをするために、上記ＡＰＰは、サービス側に保存されている、各メンバーによりアップロードされた地理的位置情報を、ローカルと同期させることができる。
【００５５】
これから分かるように、このような方式によって、メンバーが上記ＡＰＰにより提供されるグループ出席サービスを利用する際に、グループ管理者は各メンバーの地理的位置情報を迅速に収集できるため、ユーザのグループチャット体験を向上できる。
【００５６】
一方、該目標画面がグループアルバム画面であるとすれば、上記トリガーオプションは、該グループアルバム画面のホーム画面、または、各サブ画面における「イメージをアップロードするよう誘う」というトリガーオプションであり得る。ＡＰＰは、ホーム画面における上記トリガーオプションに対するクリックイベントをモニタリングした場合、上記所定メンバーに上記第２の設定画面を出力するとともに、該所定メンバーが該第２の設定画面に入力した誘導テキスト、及び該第２の設定画面から選択した目標サブ画面を取得し、バックグラウンドで該目標サブ画面に切替えるための画面切替命令を生成し、そして、取得された該誘導テキスト及び生成した該画面切替命令に基づき上記トリガーメッセージを作成することができる。当然のことながら、ＡＰＰは、サブ画面における上記トリガーオプションに対するクリックイベントをモニタリングした場合、上記所定メンバーに第１の設定画面を出力することができる。例えば、該所定メンバーが一つのサブアルバムを作成した後、該サブアルバムにおける上記トリガーオプションをクリックすることによって、上記トリガーメッセージをグループ送信するよう上記ＡＰＰをトリガーすることができる。その具体的な実現過程について詳しく説明しない。
【００５７】
ここで、上記誘導テキストは「皆さんの今回の活動の個人写真をアップロードしてください」という誘導テキストであり得、上記画面切替命令は該ＡＰＰシステムのカスタマイズした「ｍｉｔａｌｋ：／／ｃｏｎｔｒｏｌ／ｊｕｍｐ＿ｔｏ＿ｔａｋｅ＿ｐｈｏｔｏ」（選択されたサブアルバムのアップロード画面に切替えることを表す）の画面切替命令であり得、この場合、上記ＡＰＰにより生成されたトリガーメッセージは「皆さんの今回の活動の個人写真をアップロードしてください｛  ｍｉｔａｌｋ：／／ｃｏｎｔｒｏｌ／ｊｕｍｐ＿ｔｏ＿ｔａｋｅ＿ｐｈｏｔｏ  ｝」というトリガーメッセージであり得る。該トリガーメッセージが作成された後、上記ＡＰＰは該トリガーメッセージを現在のグループのうちの他の各メンバーにグループ送信することができる。
【００５８】
他の各メンバーが上記トリガーメッセージを受けた後、グループチャット画面において「皆さんの今回の活動の個人写真をアップロードしてください」というテキストリンクをハイライトさせ得、この場合、上記ＡＰＰはバックグラウンドで該テキストリンクに対する所定トリガーイベントをリアルタイムでモニタリングすることができる。
【００５９】
上記ＡＰＰは、該テキストリンクに対する所定トリガーイベント（例えば、イベントをクリックする）をモニタリングした場合、バックグラウンドで上記「ｍｉｔａｌｋ：／／ｃｏｎｔｒｏｌ／ｊｕｍｐ＿ｔｏ＿ｔａｋｅ＿ｐｈｏｔｏ」という命令を自動的に実行してから、選択されたサブアルバムのアップロード画面に切替えることができる。アップロード画面において「写真をアップロードする」オプションを提供することにより、ローカルメンバーは該オプションをクリックしてアップロードする必要のあるローカル写真を選択して、サービス側の該サブアルバムにアップロードすることができる。アップロード後、グループの各メンバーのチェックをするために、上記ＡＰＰは、サービス側に保存されている該サブアルバムにおける各メンバーによりアップロードされた写真を、ローカルと同期させることができる。
【００６０】
これから分かるように、このような方式によって、メンバーが上記ＡＰＰにより提供されたグループアルバムサービスを利用する際に、グループ管理者は各メンバーの写真を迅速に収集できるので、ユーザのグループチャット体験を向上できる。
【００６１】
なお、実行する際に、上記目標画面はグループ活動画面であってもよく、グループ活動画面は複数のグループ活動主題を含み、それぞれの主題はサブ画面に別々に対応し、上記トリガーオプションはホーム画面及び各サブ画面にそれぞれ設定されることができる。上記所定メンバーは該トリガーオプションに対し所定トリガー操作を実行することによって、一つの活動主題を選択するとともに、ローカルメンバーが該活動主題に対してフィードバックしたテキスト情報またはサウンド情報を収集するよう上記ＡＰＰをトリガーして、収集された情報を対応のサービス側にアップロードすることができる。ここで、このような応用状況に関しては、その具体的な実現過程は上記のように記載されている上記目標画面がグループアルバム画面である応用状況の実現過程と同一であるので、ここに詳しく説明しない。
【００６２】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００６３】
図２に示すように、図２は例示的な実施例における情報収集方法を示す。該情報収集方法は端末に用いられ、下記のステップを含む：
ステップ２０１において、所定メンバーからグループ送信された、誘導テキスト及び画面切替命令を含むトリガーメッセージを受ける。
【００６４】
ステップ２０２において、前記誘導テキストに基づき対応のテキストリンクを生成するとともに、グループチャット画面に前記テキストリンクを強調表示する。
【００６５】
ステップ２０３において、前記テキストリンクに対する所定トリガーイベントをモニタリングした場合、前記画面切替命令を実行して対応の目標画面に切替える。
【００６６】
ステップ２０４において、前記目標画面に入力された目標情報を取得する。
【００６７】
ステップ２０５において、取得された前記目標情報を対応のサービス側にアップロードすることによって、前記目標情報を収集する。
【００６８】
ここで、上記ステップ２０１〜ステップ２０５に係わる技術方案は次の通り理解され得る。即ち、上記端末にインストールされているグループチャットクライアントソフトウェア（例えば、インスタントメッセージＡＰＰ）には情報収集論理（プログラム）はロードされ、該グループチャットクライアントソフトウェアが上記情報収集論理（プログラム）を作動させることによって、グループチャット実行中においてメンバーの目標情報を迅速に収集することができる。
【００６９】
本実施例において、上記端末はユーザのモバイル端末であり得る。例えば、該モバイル端末はユーザのタッチパネルスマートフォンであり得る。上記目標画面はグループアルバム画面、（サインで出席を取る）グループ出席画面及びグループ活動画面を含み得る。上記目標情報はイメージ情報、地理的位置情報、サウンド情報及びテキスト情報を含み得る。実行する際に、上記目標画面及び目標情報が上記記載内容の言及したコンテンツだけでなくそれ以外のコンテンツをも含み得ることは勿論なことである。
【００７０】
ユーザが端末にインストールされているクライアントソフトウェア（以下、ＡＰＰと略称）を用いてグループチャットをする過程において、該ＡＰＰはユーザに対してグループチャットサービスを提供するだけでなく、一般的には、グループチャットサービス以外の付加価値サービスも提供する。ユーザが該ＡＰＰにより提供される付加価値サービスを利用する場合、該ＡＰＰは、普通、各メンバーの上記付加価値サービスの使用過程において生じる該付加価値サービスに関わる目標情報を迅速に収集することを要する。
【００７１】
例えば、該ＡＰＰはグループチャットサービスを提供するだけでなく、ユーザに対してグループアルバムや、グループ出席や、グループ活動などの機能も提供することができる。ユーザがグループアルバム機能を利用して、あるオフライン活動に関わるグループアルバムを作成した場合、該ＡＰＰは普通今回のオフライン活動に関わる写真を迅速に収集することを要する。ユーザがグループ出席機能を利用している場合、該ＡＰＰは普通各メンバーの地理的位置情報等の出席情報を迅速に収集することを要する。ユーザがグループ活動機能を利用している場合、該ＡＰＰは普通開催されたオフライン活動の主題に対する各メンバーの文字フィードバック情報、または、音声フィードバック情報を迅速に収集することを要する。
【００７２】
従来技術において、各メンバーの上記付加価値サービスの使用過程において生成した、当該付加価値サービスに関わる目標情報が上記ＡＰＰにより収集されることは、普通、ユーザによる自発的なアップロードによって実現されるので、各メンバーの目標情報を迅速に収集することはできない。
【００７３】
本実施例において、各メンバーの目標情報をより迅速に收集するために、上記目標画面において、各メンバーグにトリガーメッセージをグループ送信するための一つのトリガーオプションを予め設定することができる。
【００７４】
所定メンバーが上記ＡＰＰの提供する付加価値サービスを利用する過程において、該トリガーオプションに対し所定トリガー操作を実行することによって、他の各メンバーに一つのトリガーメッセージをグループ送信するようＡＰＰをトリガーすることができる。ここで、該トリガーメッセージは誘導テキスト及び画面切替命令を含み得る。上記誘導テキストは、該所定メンバーがカスタマイズして入力した誘導メッセージであり得、該画面切替命令は、ＡＰＰシステムがカスタマイズした、目標画面に切替るための命令であり得る。
【００７５】
これと同時に、上記所定メンバーが上記付加価値サービスを利用する過程において、上記ＡＰＰは上記トリガーオプションに対するトリガーイベントをリアルタイムでモニタリングした場合に、モニタリングされたトリガーイベントが上記所定トリガー操作に対応する所定トリガーイベントであるか否かを判定することができ、モニタリングされたトリガーイベントが上記所定トリガー操作に対応する所定トリガーイベントであると判定した場合、上記ＡＰＰをトリガーしてその他の各メンバーグに上記トリガーメッセージをグループ送信することができる。
【００７６】
ここに、次のことを説明しておく。実際的に実行する際に、上記目標画面は一つの独立した画面であり得るし、複数のサブ画面を含み得る。例えば、該目標画面がグループ出席画面である場合、該目標画面は通常に一つの独立した画面である。該目標画面がグループアルバム画面である場合、該目標画面は通常に複数のサブアルバムを含み得、このとき、該目標画面がホーム画面だけでなく、上記複数のサブアルバムにそれぞれ対応する複数のサブ画面を含み得る。該目標画面がグループ活動画面である場合、該目標画面は通常に複数の活動主題を含み得、このとき、該目標画面はホーム画面だけでなく、上記複数の活動主題にそれぞれ対応する複数のサブ画面を含み得る。
【００７７】
以下、上記のように記載されている二つの状況に応じて、上記ＡＰＰが各メンバーに前記トリガーメッセージをグループ送信する過程について説明を行う。
【００７８】
示される一実施形態において、上記目標画面が一つの独立した画面である場合、上記トリガーオプションは予め該目標画面の独立した画面に設定され得る。上記ＡＰＰが上記トリガーオプションに対する所定トリガーイベントをモニタリングした場合、上記所定メンバーに第１の設定画面を出力でき、このとき、該所定メンバーは該第１の設定画面に誘導テキストを入力することができる。
【００７９】
入力済みの後、該ＡＰＰは該所定メンバーが該第１の設定画面に入力した誘導テキストを取得でき、そして、取得された該誘導テキスト、及び該目標画面に切替えるための所定画面切替命令に基づき、上記トリガーメッセージを作成する。トリガーメッセージの作成に成功した後、該ＡＰＰのグループチャット機能によって該トリガーメッセージを各メンバーにグループ送信することができる。ここで、上記所定タッチ操作はクリック操作であり得、上記所定タッチイベントは上記クリック操作に対応するクリックイベントであり得る。
【００８０】
示された他の実施形態において、上記目標画面が複数のサブ画面を含む場合、上記トリガーオプションは予めそれぞれ該目標画面のホーム画面、及び各サブ画面に設定されることができる。上記ＡＰＰは、上記サブ画面におけるトリガーオプションに対する所定トリガーイベントをモニタリングした場合、依然として上記所定メンバーに上記第１の設定画面を出力することができる。その具体的な実現過程について詳しく説明しない。
【００８１】
上記ＡＰＰは、上記ホーム画面におけるトリガーオプションに対する所定トリガーイベントをモニタリングした場合、上記所定メンバーに第２の設定画面を出力することができ、このとき、該所定メンバーは該第２の設定画面に誘導テキストを入力するとともに、該第２の設定画面から対応の目標サブ画面を選択することができる。
【００８２】
入力済みの後、該ＡＰＰは、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき、上記トリガーメッセージを作成することができる。トリガーメッセージの作成に成功した後、該ＡＰＰのグループチャット機能によって該トリガーメッセージを各メンバーにグループ送信することができる。
【００８３】
ここで、上記所定メンバーはグループ管理者またはグループ管理者に相当する権限を有するメンバーであり得る。例えば、上記目標画面がグループ出席画面である場合、該所定メンバーはグループ管理者であり得る。上記目標画面がグループアルバム画面である場合、該所定メンバーはグループ管理者及び上記グループアルバム画面における各サブアルバムの作成者であり得る。上記目標画面がグループ活動画面である場合、該所定メンバーはグループ管理者及び上記グループ活動画面における各活動主題の主催者であり得る。
【００８４】
本実施例において、上記ＡＰＰが上記トリガーメッセージをグループ送信して、各メンバーのＡＰＰが上記トリガーメッセージを受けた場合、該トリガーメッセージにおける誘導テキストに基づき、対応するテキストリンクを生成でき、そして、生成されたテキストリンクをグループチャット画面に表示する。ここで、グループチャット画面におけるグループチャットメッセージが多くあるため、上記ＡＰＰが該テキストリンクをグループチャット画面に表示するときに、それを強調表示することができる。例えば、該テキストリンクをハイライトさせる、または、特別なフォントで表示することができる。
【００８５】
該テキストリンクがグループチャット画面に表示された後、各メンバーは該テキストリンクに対し所定トリガー操作を行うことによって、対応の目標画面に切替えるよう上記ＡＰＰをトリガーすることができる。これと同時に、上記ＡＰＰはバックグラウンドで該テキストリンクに対するトリガーイベントをモニタリングすることができ、該テキストリンクに対する、上記所定トリガー操作に対応する所定トリガーイベントをモニタリングした場合、バックグラウンドで上記トリガーメッセージに含まれる画面切替命令を自動的に実行し、対応の目標画面に切替えることができる。対応の目標画面に切替わった後、上記ＡＰＰは前記目標画面に入力された目標情報を取得するとともに、取得された前記目標情報を対応のサービス側にアップロードすることによって、前記目標情報を収集することができる。
【００８６】
以下、２つの具体的な実例を通して上記の技術方案を説明する。
【００８７】
一方では、上記目標画面がグループ出席画面であるとすれば、上記トリガーオプションは該グループ出席画面における「皆さんの出席を誘う」という一つのトリガーオプションであり得る。
【００８８】
ＡＰＰは、該画面における上記トリガーオプションに対するクリックイベントをモニタリングした場合、上記所定メンバーに上記第１の設定画面を出力するとともに、該所定メンバーが該第１の設定画面に入力した誘導テキストを取得し、そして、取得された該誘導テキスト、及び該目標画面に切替るための所定画面切替命令に基づき上記トリガーメッセージを作成する。
【００８９】
ここで、該誘導テキストは「皆さん、自分の地理位置をアップロードしてご出席を取ってください」という誘導テキストであり得、該画面切替命令は該ＡＰＰシステムのカスタマイズした「ｍｉｔａｌｋ：／／ｃｏｎｔｒｏｌ／ｊｕｍｐ＿ｔｏ＿ｌｏｃａｔｉｏｎ」（ロケーション画面に切替えることを表示する）という画面切替命令であり得、この場合、上記ＡＰＰにより生成されたトリガーメッセージは「皆さん、自分の地理位置をアップロードしてご出席を取ってください｛  ｍｉｔａｌｋ：／／ｃｏｎｔｒｏｌ／ｊｕｍｐ＿ｔｏ＿ｌｏｃａｔｉｏｎ  ｝」というトリガーメッセージであり得る。該トリガーメッセージが作成された後、上記ＡＰＰは該トリガーメッセージを現在のグループのうちの他の各メンバーにグループ送信することができる。
【００９０】
他の各メンバーが上記トリガーメッセージを受けた後、グループチャット画面に「皆さん、自分の地理位置をアップロードしてご出席を取ってください」というテキストリンクをハイライトさせ得、この場合、上記ＡＰＰはバックグラウンドで該テキストリンクに対する所定トリガーイベントをリアルタイムでモニタリングすることができる。
【００９１】
上記ＡＰＰは、該テキストリンクに対する所定トリガーイベント（例えば、クリックイベント）をモニタリングした場合、バックグラウンドで上記「ｍｉｔａｌｋ：／／ｃｏｎｔｒｏｌ／ｊｕｍｐ＿ｔｏ＿ｌｏｃａｔｉｏｎ」という命令を自動的に実行してから、ロケーション画面に切替えることができる。ロケーション画面において「位置をアップロードする」というオプションを提供してあり、ローカルメンバーは該オプションをクリックして自分の地理的位置情報をサービス側にアップロードして出席を取ることができる。出席の取り済みの後、グループの各メンバーのチェックをするために、上記ＡＰＰは、サービス側に保存されている、各メンバーによりアップロードされた地理的位置情報を、ローカルと同期させることができる。
【００９２】
これから分かるように、このような方式によって、メンバーが上記ＡＰＰにより提供されるグループ出席サービスを利用する際に、グループ管理者は各メンバーの地理的位置情報を迅速に収集できるため、ユーザのグループチャット体験を向上できる。
【００９３】
他方では、該目標画面がグループアルバム画面であるとすれば、上記トリガーオプションは、該グループアルバム画面のホーム画面、または、各サブ画面における「イメージをアップロードするよう誘う」というトリガーオプションであり得る。ＡＰＰは、ホーム画面における上記トリガーオプションに対するクリックイベントをモニタリングした場合、上記所定メンバーに上記第２の設定画面を出力するとともに、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき上記トリガーメッセージを作成することができる。当然のことながら、ＡＰＰは、サブ画面における上記トリガーオプションに対するクリックイベントをモニタリングした場合、上記所定メンバーに第１の設定画面を出力することができる。例えば、該所定メンバーが一つのサブアルバムを作成した後、該サブアルバムにおける上記トリガーオプションをクリックすることによって、上記トリガーメッセージをグループ送信するよう上記ＡＰＰをトリガーすることができる。その具体的な実現過程について詳しく説明しない。
【００９４】
ここで、上記誘導テキストは「皆さんの今回の活動の個人写真をアップロードしてください」という誘導テキストであり得、上記画面切替命令は該ＡＰＰシステムのカスタマイズした「ｍｉｔａｌｋ：／／ｃｏｎｔｒｏｌ／ｊｕｍｐ＿ｔｏ＿ｔａｋｅ＿ｐｈｏｔｏ」（選択されたサブアルバムのアップロード画面に切替えることを表す）の画面切替命令であり得、この場合、上記ＡＰＰにより生成されたトリガーメッセージは「皆さんの今回の活動の個人写真をアップロードしてください｛  ｍｉｔａｌｋ：／／ｃｏｎｔｒｏｌ／ｊｕｍｐ＿ｔｏ＿ｔａｋｅ＿ｐｈｏｔｏ  ｝」というトリガーメッセージであり得る。該トリガーメッセージが作成された後、上記ＡＰＰは該トリガーメッセージを現在のグループのうちの他の各メンバーにグループ送信することができる。
【００９５】
他の各メンバーが上記トリガーメッセージを受けた後、グループチャット画面において「皆さんの今回の活動の個人写真をアップロードしてください」というテキストリンクをハイライトさせ得、この場合、上記ＡＰＰはバックグラウンドで該テキストリンクに対する所定トリガーイベントをリアルタイムでモニタリングすることができる。
【００９６】
上記ＡＰＰは、該テキストリンクに対する所定トリガーイベント（例えば、イベントをクリックする）をモニタリングした場合、バックグラウンドで上記「ｍｉｔａｌｋ：／／ｃｏｎｔｒｏｌ／ｊｕｍｐ＿ｔｏ＿ｔａｋｅ＿ｐｈｏｔｏ」という命令を自動的に実行してから、選択されたサブアルバムのアップロード画面に切替えることができる。アップロード画面において「写真をアップロードする」オプションを提供することにより、ローカルメンバーは該オプションをクリックしてアップロードする必要のあるローカル写真を選択して、サービス側の該サブアルバムにアップロードすることができる。アップロード後、グループの各メンバーのチェックをするために、上記ＡＰＰは、サービス側に保存されている該サブアルバムにおける各メンバーによりアップロードされた写真を、ローカルと同期させることができる。
【００９７】
これから分かるように、このような方式によって、メンバーが上記ＡＰＰにより提供されたグループアルバムサービスを利用する際に、グループ管理者は各メンバーの写真を迅速に収集できるので、ユーザのグループチャット体験を向上できる。
【００９８】
なお、実行する際に、上記目標画面はグループ活動画面であってもよく、グループ活動画面は複数のグループ活動主題を含み、それぞれの主題はサブ画面に別々に対応し、上記トリガーオプションはホーム画面及び各サブ画面にそれぞれ設定されることができる。上記所定メンバーは該トリガーオプションに対し所定トリガー操作を実行することによって、一つの活動主題を選択するとともに、ローカルメンバーが該活動主題に対してフィードバックしたテキスト情報またはサウンド情報を収集するよう上記ＡＰＰをトリガーして、収集された情報を対応のサービス側にアップロードすることができる。ここで、このような応用状況に関しては、その具体的な実現過程は上記のように記載されている上記目標画面がグループアルバム画面である応用状況の実現過程と同一であるので、ここに詳しく説明しない。
【００９９】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【０１００】
上記情報収集方法の実施例に対応するように、本発明はさらに情報收集装置の実施例も提供する。
【０１０１】
図３は例示的な実施例における情報收集装置を模式的に示すブロック図である。
【０１０２】
図３に示すように、例示的な実施例における情報收集装置３００は、受信モジュール３０１、表示モジュール３０２、及び切替モジュール３０３を含んでおり、
前記受信モジュール３０１は、所定メンバーからグループ送信された、誘導テキスト及び画面切替命令を含むトリガーメッセージを受けるように構成され、
前記示モジュール３０２は、前記誘導テキストに基づき対応のテキストリンクを作成するとともに、グループチャット画面に前記テキストリンクを表示するように構成され、
前記切替モジュール３０３は、前記テキストリンクに対する所定トリガーイベントをモニタリングした場合、前記画面切替命令を実行することによって対応の目標画面に切替わって、目標情報を収集するように構成されている。
【０１０３】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【０１０４】
図４を参照すると、図４は本発明の例示的な実施例における他の装置を示すブロック図である。該実施例は、前記図３に示す実施例を基に、ローカルメンバーが前記所定メンバーである場合、前記目標画面は所定トリガーオプションを含み、前記所定トリガーオプションは各メンバーに前記トリガーメッセージをグループ送信することをトリガーするために用いられる。前記装置３００はさらに、第１の出力モジュール３０４、第１の取得モジュール３０５、及び第１のグループ送信モジュール３０６を含んでおり、
前記第１の出力モジュール３０４は、前記所定トリガーオプションに対する所定トリガーイベントをモニタリングした場合、第１の設定画面を出力するように構成され、
前記第１の取得モジュール３０５は、前記第１の設定画面に入力された誘導テキストを取得するように構成され、
前記第１のグループ送信モジュール３０６は、前記第１の取得モジュール３０５により取得された前記誘導テキスト及び前記目標画面に切替えるための所定画面切替命令に基づき、前記トリガーメッセージを作成するとともに、該トリガーメッセージを各メンバーにグループ送信するように構成されている。
【０１０５】
図５を参照すると、図５は本発明の例示的な実施例における他の装置を示すブロック図である。該実施例は、前記図３に示す実施例を基に、ローカルメンバーが前記所定メンバーである場合、前記目標画面は所定トリガーオプションを含み、前記所定トリガーオプションは各メンバーに前記トリガーメッセージをグループ送信することをトリガーするために用いられる。前記装置３００はさらに、第２の出力モジュール３０７、第２の取得モジュール３０８、第３の取得モジュール３０９、及び第２のグループ送信モジュール３１０を含んでおり、
前記第２の出力モジュール３０７は、前記所定トリガーオプションに対する所定トリガーイベントをモニタリングした場合、第２の設定画面を出力するように構成され、
前記第２の取得モジュール３０８は、ユーザが前記第２の設定画面に入力した誘導テキストを取得するように構成され、
前記第３の取得モジュール３０９は、ユーザが前記第２の設定画面から選択した目標画面を取得するとともに、該目標画面に切替えるための画面切替命令を生成するように構成され、
前記第２のグループ送信モジュール３１０は、前記第２の取得モジュール３０８により取得された前記誘導テキスト、及び前記第３の取得モジュール３０９により生成された前記画面切替命令に基づき、前記トリガーメッセージを作成するとともに、該トリガーメッセージを各メンバーにグループ送信するように構成されている。
【０１０６】
ここに、次のことを説明しておく。上記図５に示す装置に係わる実施例に示される第２の出力モジュール３０７、第２の取得モジュール３０８、第３の取得モジュール３０９、及び第２のグループ送信モジュール３１０の構造は、前記図４に示す装置に係わる実施例に含まれ得る。本発明はこれを限定するものではない。
【０１０７】
図６を参照すると、図６は本発明の例示的な実施例における他の装置を示すブロック図である。該実施例は前記図３に示す実施例を基に、前記表示モジュール３０２は、グループチャット画面に前記テキストリンクを強調表示するように構成されている表示サブモジュール３０２Ａを含み得る。
【０１０８】
ここに、次のことを説明しておく。上記図６に示す装置に係わる実施例に示される表示サブモジュール３０２Ａの構造は前記図４〜５に示す装置に係わる実施例に含まれ得る。本発明はこれを限定するものではない。
【０１０９】
上記の各実施例において、前記目標画面は、グループアルバム画面、グループ出席画面、及びグループ活動画面を含み得る。前記目標情報は、イメージ情報、地理的位置情報、サウンド情報、及びテキスト情報を含み得る。
【０１１０】
上記装置における各モジュールの機能及び作用の実現過程としては、具体的には、上記方法における対応のステップの実現過程を参照する。ここに詳しく説明しない。
【０１１１】
装置実施例としては、それがだいたい方法実施例に対応しているので、方法実施例における対応箇所の説明を参照すればよい。上記のように記載されている装置実施例は模式的なものだけであり、分離の部材として説明される前記モジュールは物理的に分離されるものであってもよいし、そうではなくてもよく、モジュールとして表示される部材は物理的モジュールであってもよいし、そうではなくてもよく、即ち、一つの箇所に位置してもよいし複数のネットワークモジュールに分布してもよい。実際的な必要に応じて、そのうちの一部または全部のモジュールを選択して本発明に係る方案の目的を実現することができる。当業者は創造的な労働を必要としなくても理解して実施することができる。
【０１１２】
相応に、本発明はさらに情報收集装置を提供し、前記装置は、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき対応のテキストリンクを作成するとともに、グループチャット画面に前記テキストリンクを表示し、
前記テキストリンクに対する所定トリガーイベントをモニタリングした場合、前記画面切替命令を実行することで対応の目標画面に切替えて目標情報を収集する。
【０１１３】
相応に、本発明はさらにメモリと、前記メモリに記憶されている一つ以上のプログラムとを含む端末を提供しており、前記端末が、
所定メンバーからグループ送信された、誘導テキスト及び画面切替命令を含むトリガーメッセージを受ける命令と、
前記誘導テキストに基づき対応のテキストリンクを作成するとともに、グループチャット画面に前記テキストリンクを表示する命令と、
前記テキストリンクに対する所定トリガーイベントをモニタリングした場合、前記画面切替命令を実行することで対応の目標画面に切替えて目標情報を収集する命令と、を実行するように、
一つ以上のプロセッサにより前記一つ以上のプログラムを実行するように構成されている。
【０１１４】
図７は例示的な実施例における情報收集装置の構造を模式的に示す図である。
【０１１５】
図７に示すように、例示的な実施例における情報收集装置７００は、携帯電話、スマートデバイス、コンピュータ、デジタル放送端末、メッセージ受発信手段、ゲームコンソール、タブレットデバイス、医療機器、フィットネス機器、パーソナルデジタルアシスタント等であってもよい。
【０１１６】
図７を参照して、装置７００は、プロセッサアセンブリ７０１、メモリ７０２、電源アセンブリ７０３、マルチメディアアセンブリ７０４、オーディオアセンブリ７０５、入力／出力（Ｉ／Ｏ）インターフェイス７０６、センサアセンブリ７０７、及び通信アセンブリ７０８のような一つ以上のアセンブリを含んでよい。
【０１１７】
プロセッサアセンブリ７０１は、一般的には装置７００の全体の操作を制御するものであり、例えば、表示、電話呼び出し、データ通信、カメラ操作、及び記録操作と関連する操作を制御する。プロセッサアセンブリ７０１は、一つ以上のプロセッサ７０９を含み、これらによって命令を実行することにより、上記の方法の全部、或は一部のステップを実現するようにしてもよい。なお、プロセッサアセンブリ７０１は、一つ以上のモジュールを含み、これらによってプロセッサアセンブリ７０１と他のアセンブリの間のインタラクションを容易にするようにしてもよい。例えば、プロセッサアセンブリ７０１は、マルチメディアモジュールを含み、これらによってマルチメディアアセンブリ７０４とプロセッサアセンブリ７０１の間のインタラクションを容易にするようにしてもよい。
【０１１８】
メモリ７０２は、各種類のデータを記憶することにより装置７００の操作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０２は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１１９】
電源アセンブリ７０３は、装置７００の多様なアセンブリに電力を供給する。電源アセンブリ７０３は、電源管理システム、一つ以上の電源、及び装置７００のための電力の生成、管理及び割り当てに関連する他のアセンブリを含んでもよい。
【０１２０】
マルチメディアアセンブリ７０４は、前記装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ７０４は、一つのフロントカメラ、及び／又はリアーカメラを含む。装置７００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１２１】
オーディオアセンブリ７０５は、オーディオ信号をインターフェイスするように構成されてもよい。例えば、オーディオアセンブリ７０５は、一つのマイク（ＭＩＣ）を含み、装置７００、例えば呼出しモード、記録モード、及び音声認識モード等の操作モードにある場合、マイクは外部のオーディオ信号を受信することができる。受信されたオーディオ信号は、さらにメモリ７０２に記憶されたり、通信アセンブリ７０８を介して送信されたりされる。上記の実施例において、オーディオアセンブリ７０５は、オーディオ信号を出力するための一つのスピーカーをさらに含む。
【０１２２】
入力／出力（Ｉ／Ｏ）インターフェイス７０６は、プロセッサアセンブリ７０１と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２３】
センサアセンブリ７０７は、装置７００に各方面の状態に対する評価を提供するための一つ以上のセンサを含む。例えば、センサアセンブリ７０７は、装置７００のＯＮ／ＯＦＦ状態、装置７００のディスプレイとキーパッドのようなアセンブリの相対的な位置決めを検出できる。また、例えば、センサアセンブリ７０７は、装置７００、或は装置７００の一つのアセンブリの位置変更、ユーザと装置７００とが接触しているか否か、装置７００の方位、又は加速／減速、装置７００の温度の変化を検出できる。センサアセンブリ７０７は、何れの物理的接触がない状態にて付近の物体の存在を検出するための近接センサを含んでもよい。センサアセンブリ７０７は、撮影アプリケーションに適用するため、ＣＭＯＳ、又はＣＣＤ図像センサのような光センサを含んでもよい。上記の実施例において、該センサアセンブリ７０７は、加速度センサ、ジャイロスコープセンサ、磁気センサ、圧力センサ、及び温度センサをさらに含んでもよい。
【０１２４】
通信アセンブリ７０８は、装置７００と他の機器の間に有線、又は无線形態の通信を提供する。装置７００は、例えばＷｉＦｉ（登録商標）、２Ｇ、３Ｇ、或はこれらの組み合わせのような、通信規格に基づいた无線ネットワークに接続されてもよい。一つの例示的な実施例において、通信アセンブリ７０８は、放送チャンネルを介して外部の放送管理システムからの放送信号、又は放送に関連する情報を受信する。一つの例示的な実施例において、前記通信アセンブリ７０８は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１２５】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２６】
例示的な実施例において、さらに、命令を含む不揮発的なコンピュータで読み取り可能な記憶媒体、例えば命令を含むメモリ７０２を提供しており、装置７００のプロセッサ７０９により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【０１２７】
ここで、前記記憶媒体における命令がモバイル端末におけるプロセッサにより実行される場合、モバイル端末は情報収集方法を実行することができ、
所定メンバーからグループ送信された、誘導テキスト及び画面切替命令を含むトリガーメッセージを受けるステップと、
前記誘導テキストに基づき対応のテキストリンクを作成するとともに、グループチャット画面に前記テキストリンクを表示するステップと、
前記テキストリンクに対する所定トリガーイベントをモニタリングした場合、前記画面切替命令を実行することで対応の目標画面に切替えて目標情報を収集するステップと、を含む。
【０１２８】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１２９】
本発明は、上記において開示された構成又は図面に示した構造に限定されるものではなく、本発明の範囲内であれば、様々な補正又は変更を行うことができる。本発明の範囲は、特許請求の範囲により制限される。
【０１３０】
本願は、出願番号がＣＮ２０１５１０５８７７１９．４であって、出願日が２０１５年０９月１５日である中国特許出願に基づき優先権を主張し、該中国特許出願のすべての内容を本願に援用する。
【図１】
2017531275.tif 000003
【図２】
2017531275.tif 000004
【図３】
2017531275.tif 000005
【図４】
2017531275.tif 000006
【図５】
2017531275.tif 000007
【図６】
2017531275.tif 000008
【図７】
2017531275.tif 000009
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
所定メンバーからグループ送信された、誘導テキスト及び画面切替命令を含むトリガーメッセージを受けるステップと、
前記誘導テキストに基づき、対応のテキストリンクを作成するとともに、グループチャット画面に前記テキストリンクを表示するステップと、
前記テキストリンクに対する所定トリガーイベントをモニタリングした場合、前記画面切替命令を実行することで、対応の目標画面に切替えて目標情報を収集するステップと、を含む
ことを特徴とする情報収集方法。
【請求項２】
ローカルメンバーが前記所定メンバーである場合、前記目標画面は、各メンバーに前記トリガーメッセージをグループ送信することをトリガーするための所定トリガーオプションを含む
ことを特徴とする請求項１に記載の方法。
【請求項３】
前記方法はさらに、
前記所定トリガーオプションに対する所定トリガーイベントをモニタリングした場合、第１の設定画面を出力するステップと、
前記第１の設定画面に入力された誘導テキストを取得するステップと、
取得された前記誘導テキスト及び前記目標画面に切替えるための所定画面切替命令に基づき、前記トリガーメッセージを作成するとともに、該トリガーメッセージを各メンバーにグループ送信するステップと、を含む
ことを特徴とする請求項２に記載の方法。
【請求項４】
前記方法はさらに、
前記所定トリガーオプションに対する所定トリガーイベントをモニタリングした場合、第２の設定画面を出力するステップと、
ユーザにより前記第２の設定画面に入力された誘導テキストを取得するステップと、
ユーザにより前記第２の設定画面から選択された目標画面を取得するとともに、該目標画面に切替えるための画面切替命令を生成するステップと、
取得された前記誘導テキスト及び生成した前記画面切替命令に基づき、前記トリガーメッセージを作成して各メンバーにグループ送信するステップと、を含む
ことを特徴とする請求項２に記載の方法。
【請求項５】
グループチャット画面に前記テキストリンクを表示するステップは、
グループチャット画面に前記テキストリンクを強調表示するステップを含む
ことを特徴とする請求項１に記載の方法。
【請求項６】
前記画面切替命令を実行することで対応の目標画面に切替えて目標情報を収集するステップは、
前記画面切替命令を実行して対応の目標画面に切替えるステップと、
前記目標画面に入力された目標情報を取得するステップと、
取得された前記目標情報を対応のサービス側にアップロードし、前記目標情報を収集するステップと、を含む
ことを特徴とする請求項１に記載の方法。
【請求項７】
前記目標画面は、グループアルバム画面、グループ出席画面、及びグループ活動画面を含み、
前記目標情報は、イメージ情報、地理的位置情報、サウンド情報、及びテキスト情報を含む
ことを特徴とする請求項１〜６のいずれか１項に記載の方法。
【請求項８】
所定メンバーからグループ送信された、誘導テキスト及び画面切替命令を含むトリガーメッセージを受けるように構成されている受信モジュールと、
前記誘導テキストに基づき対応のテキストリンクを作成するとともに、グループチャット画面に前記テキストリンクを表示するように構成されている表示モジュールと、
前記テキストリンクに対する所定トリガーイベントをモニタリングした場合、前記画面切替命令を実行することによって、対応の目標画面に切替えて目標情報を収集するように構成されている切替モジュールと、を含む
ことを特徴とする情報收集装置。
【請求項９】
ローカルメンバーが前記所定メンバーである場合、前記目標画面は、各メンバーに前記トリガーメッセージをグループ送信することをトリガーするための所定トリガーオプションを含む
ことを特徴とする請求項８に記載の装置。
【請求項１０】
前記装置はさらに、
前記所定トリガーオプションに対する所定トリガーイベントをモニタリングした場合、第１の設定画面を出力するように構成されている第１の出力モジュールと、
前記第１の設定画面に入力された誘導テキストを取得するように構成されている第１の取得モジュールと、
前記第１の取得モジュールにより取得された前記誘導テキスト及び前記目標画面に切替えるための所定画面切替命令に基づき、前記トリガーメッセージを作成して各メンバーにグループ送信するように構成されている第１のグループ送信モジュールと、を含む
ことを特徴とする請求項９に記載の装置。
【請求項１１】
前記装置はさらに、
前記所定トリガーオプションに対する所定トリガーイベントをモニタリングした場合、第２の設定画面を出力するように構成されている第２の出力モジュールと、
ユーザにより前記第２の設定画面に入力された誘導テキストを取得するように構成されている第２の取得モジュールと、
ユーザにより前記第２の設定画面から選択された目標画面を取得するとともに、該目標画面に切替えるための画面切替命令を生成するように構成されている第３の取得モジュールと、
前記第２の取得モジュールにより取得された前記誘導テキスト及び前記第３の取得モジュールにより生成された前記画面切替命令に基づき、前記トリガーメッセージを作成して各メンバーにグループ送信するように構成されている第２のグループ送信モジュールと、を含む
ことを特徴とする請求項９に記載の装置。
【請求項１２】
前記表示モジュールは、グループチャット画面に前記テキストリンクを強調表示するように構成されている表示サブモジュールを含む
ことを特徴とする請求項８に記載の装置。
【請求項１３】
前記切替モジュールは、
前記画面切替命令を実行して対応の目標画面に切替えるように構成されている切替サブモジュールと、
前記目標画面に入力された目標情報を取得するように構成されている取得サブモジュールと、
取得された前記目標情報を対応のサービス側にアップロードすることによって、前記目標情報を収集するように構成されているアップロードサブモジュールと、を含む
ことを特徴とする請求項８に記載の装置。
【請求項１４】
前記目標画面は、グループアルバム画面、グループ出席画面、及びグループ活動画面を含み、
前記目標情報は、イメージ情報、地理的位置情報、サウンド情報、及びテキスト情報を含む
ことを特徴とする請求項８〜１３のいずれか１項に記載の装置。
【請求項１５】
プロセッサと、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき、対応のテキストリンクを作成するとともに、グループチャット画面に前記テキストリンクを表示し、
前記テキストリンクに対する所定トリガーイベントをモニタリングした場合、前記画面切替命令を実行することで、対応の目標画面に切替えて目標情報を収集する
ことを特徴とする情報収集装置。
【請求項１６】
プロセッサに実行されることにより、請求項１〜７のいずれか１項に記載の方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は通信分野に関し、特に、情報収集方法およびその装置、プログラム及び記録媒体に関する。
【背景技術】
【０００２】
グループチャットの実行中において、一般的には、メンバーのフィードバック情報を迅速に収集する必要がある。例えば、一つのグループ活動を開催する際に、グループ管理者は各メンバーの該グループ活動に対するフィードバック意見を直ちに知る必要がある。したがって、如何にグループチャットの実行中に各メンバーのフィードバック情報を迅速に収集するかということは、ユーザのグループチャット体験にとってとても重要である。
【発明の概要】
【０００３】
従来技術における既存の問題を解消するために、本発明は情報収集方法およびその装置、プログラム及び記録媒体を提供する。
【０００４】
本発明の実施例の第１の局面によれば、情報収集方法を提供し、前記方法は、
所定メンバーからグループ送信された、誘導テキスト及び画面切替命令を含むトリガーメッセージを受けるステップと、
前記誘導テキストに基づき対応のテキストリンクを作成するとともに、グループチャット画面に前記テキストリンクを表示するステップと、
前記テキストリンクに対する所定トリガーイベントをモニタリングした場合、前記画面切替命令を実行することで対応の目標画面に切替えて目標情報を収集するステップと、を含む。
【０００５】
好ましくは、ローカルメンバーが前記所定メンバーである場合、前記目標画面は、各メンバーに前記トリガーメッセージをグループ送信することをトリガーするための所定トリガーオプションを含む。
【０００６】
好ましくは、前記方法はさらに、
前記所定トリガーオプションに対する所定トリガーイベントをモニタリングした場合、第１の設定画面を出力するステップと、
前記第１の設定画面に入力された誘導テキストを取得するステップと、
取得された前記誘導テキスト及び前記目標画面に切替えるための所定画面切替命令に基づき、前記トリガーメッセージを作成するとともに、該トリガーメッセージを各メンバーにグループ送信するステップと、を含む。
【０００７】
好ましくは、前記方法はさらに、
前記所定トリガーオプションに対する所定トリガーイベントをモニタリングした場合、第２の設定画面を出力するステップと、
ユーザにより前記第２の設定画面に入力された誘導テキストを取得するステップと、
ユーザにより前記第２の設定画面から選択された目標画面を取得するとともに、該目標画面に切替えるための画面切替命令を生成するステップと、
取得された前記誘導テキスト及び生成した前記画面切替命令に基づき、前記トリガーメッセージを作成して各メンバーにグループ送信するステップと、を含む。
【０００８】
好ましくは、グループチャット画面に前記テキストリンクを表示するステップは、
グループチャット画面に前記テキストリンクを強調表示するステップを含む。
【０００９】
好ましくは、前記画面切替命令を実行することで対応の目標画面に切替えて目標情報を収集するステップは、
前記画面切替命令を実行し対応の目標画面に切替えるステップと、
前記目標画面に入力された目標情報を取得するステップと、
取得された前記目標情報を対応のサービス側にアップロードし、前記目標情報を収集するステップと、を含む。
【００１０】
好ましくは、前記目標画面はグループアルバム画面、グループ出席画面、及びグループ活動画面を含み、
前記目標情報はイメージ情報、地理的位置情報、サウンド情報、及びテキスト情報を含む。
【００１１】
本発明の実施例の第２の局面によれば、情報收集装置を提供し、前記装置は、
所定メンバーからグループ送信された、誘導テキスト及び画面切替命令を含むトリガーメッセージを受けるように構成されている受信モジュールと、
前記誘導テキストに基づき対応のテキストリンクを作成するとともに、グループチャット画面に前記テキストリンクを表示するように構成されている表示モジュールと、
前記テキストリンクに対する所定トリガーイベントをモニタリングした場合、前記画面切替命令を実行することによって対応の目標画面に切替えて目標情報を収集するように構成されている切替モジュールと、を含む。
【００１２】
好ましくは、ローカルメンバーが前記所定メンバーである場合、前記目標画面は、各メンバーに前記トリガーメッセージをグループ送信することをトリガーするための所定トリガーオプションを含む。
【００１３】
好ましくは、前記装置はさらに、
前記所定トリガーオプションに対する所定トリガーイベントをモニタリングした場合、第１の設定画面を出力するように構成されている第１の出力モジュールと、
前記第１の設定画面に入力された誘導テキストを取得するように構成されている第１の取得モジュールと、
前記第１の取得モジュールにより取得された前記誘導テキスト及び前記目標画面に切替えるための所定画面切替命令に基づき、前記トリガーメッセージを作成して各メンバーにグループ送信するように構成されている第１のグループ送信モジュールと、を含む。
【００１４】
好ましくは、前記装置はさらに、
前記所定トリガーオプションに対する所定トリガーイベントをモニタリングした場合、第２の設定画面を出力するように構成されている第２の出力モジュールと、
ユーザにより前記第２の設定画面に入力された誘導テキストを取得するように構成されている第２の取得モジュールと、
ユーザにより前記第２の設定画面から選択された目標画面を取得するとともに、該目標画面に切替えるための画面切替命令を生成するように構成されている第３の取得モジュールと、
前記第２の取得モジュールにより取得された前記誘導テキスト及び前記第３の取得モジュールにより生成された前記画面切替命令に基づき、前記トリガーメッセージを作成して各メンバーにグループ送信するように構成されている第２のグループ送信モジュールと、を含む。
【００１５】
好ましくは、前記表示モジュールは、グループチャット画面に前記テキストリンクを強調表示するように構成されている表示サブモジュールを含む。
【００１６】
好ましくは、前記切替モジュールは、
前記画面切替命令を実行して対応の目標画面に切替えるように構成されている切替サブモジュールと、
前記目標画面に入力された目標情報を取得するように構成されている取得サブモジュールと、
取得された前記目標情報を対応のサービス側にアップロードすることによって、前記目標情報を収集するように構成されているアップロードサブモジュールと、を含む。
【００１７】
好ましくは、前記目標画面はグループアルバム画面、グループ出席画面、及びグループ活動画面を含み、
前記目標情報はイメージ情報、地理的位置情報、サウンド情報、及びテキスト情報を含む。
【００１８】
本発明の実施例の第３の局面によれば、情報收集装置は、
プロセッサと、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき対応のテキストリンクを作成するとともに、グループチャット画面に前記テキストリンクを表示し、
前記テキストリンクに対する所定トリガーイベントをモニタリングした場合、前記画面切替命令を実行することで対応の目標画面に切替えて目標情報を収集する。
【００１９】
本発明のその他の態様は、
プロセッサに実行されることにより、前記方法を実現することを特徴とするプログラムを提供する。
【００２０】
本発明のその他の態様は、
前記プログラムが記録された記録媒体を提供する。
【００２１】
本発明の実施例に係る技術方案は、以下の有益な効果を有する。
【００２２】
本発明の上記の実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００２３】
以上の一般的な記述及び以下の詳細な記述は、例示のものに過ぎず、本開示を限定するものではないと理解すべきである。
【図面の簡単な説明】
【００２４】
ここでの図面は、本明細書の一部として、本発明に適切な実施例を示し、明細書と合わせて本発明の原理を解釈する。
【図１】例示的な実施例における情報収集方法のフローを模式的に示す図である。
【図２】例示的な実施例における他の情報収集方法のフローを模式的に示す図である。
【図３】例示的な実施例における情報收集装置を模式的に示す図である。
【図４】例示的な実施例における他の情報收集装置を模式的に示す図である。
【図５】例示的な実施例における他の情報收集装置を模式的に示す図である。
【図６】例示的な実施例における他の情報收集装置を模式的に示す図である。
【図７】例示的な実施例における前記情報收集装置に用いる構造を模式的に示す図である。
【発明を実施するための形態】
【００２５】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２６】
本発明で使用されている用語は本発明を規制することでなく、特定実施例を記載することを目的としている。コンテキストで他の意味を明確に表すことではない限り、本発明及び特許請求の範囲で使用されている単数形式の「１種」、「前記」及び「該」といった用語のいずれも多数形式を含む。更に、本発明で使用されている「及び／または」という用語は１つまたは複数の関連する列挙項目の如何なるまたはあらゆる組合せを含むことを指し且つ含むと理解すべきである。
【００２７】
本発明では、「第１の」、「第２の」、「第３の」などの用語を用いて各種の情報を記載しているが、これらの情報はこれらの用語に限られないと理解すべきである。これらの用語は同じ種類の情報を互いに区別するために用いられる。例えば、本発明の範囲であれば、第１の情報は第２の情報とも称され得、類似的には、第２の情報も第１の情報とも称され得る。なお、用語の使用は言語環境によって決められ、例えば、ここに用いられる「仮に」という用語が「・・・の場合」、または「・・・際に」、または「・・・応じて」として理解され得る。
【００２８】
本発明に係わる情報収集方法では、所定メンバーからグループ送信された、誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００２９】
図１に示すように、図１は例示的な実施例における情報収集方法を示し、該情報収集方法が端末に用いられ、下記のステップを含む。
【００３０】
ステップ１０１において、所定メンバーからグループ送信された、誘導テキスト及び画面切替命令を含むトリガーメッセージを受ける。
【００３１】
ステップ１０２において、前記誘導テキストに基づき対応のテキストリンクを作成するとともに、グループチャット画面に前記テキストリンクを表示する。
【００３２】
ステップ１０３において、前記テキストリンクに対する所定トリガーイベントをモニタリングした場合、前記画面切替命令を実行することで対応の目標画面に切替えて目標情報を収集する。
【００３３】
ここで、上記ステップ１０１〜ステップ１０３に係わる技術方案は、次の通り理解され得る。即ち、上記端末にインストールされているグループチャットクライアントソフトウェア（例えば、インスタントメッセージＡＰＰ）には情報収集論理（プログラム）はロードされ、該グループチャットクライアントソフトウェアが上記情報収集論理（プログラム）を作動させることによって、グループチャット実行中においてメンバーの目標情報を迅速に収集することができる。
【００３４】
本実施例において、上記端末はユーザのモバイル端末であり得る。例えば、該モバイル端末はユーザのタッチパネルスマートフォンであり得る。上記目標画面はグループアルバム画面、（サインで出席を取る）グループ出席画面及びグループ活動画面を含み得る。上記目標情報はイメージ情報、地理的位置情報、サウンド情報及びテキスト情報を含み得る。実行する際に、上記目標画面及び目標情報が上記記載内容の言及したコンテンツだけでなくそれ以外のコンテンツをも含み得ることは勿論なことである。
【００３５】
ユーザが端末にインストールされているクライアントソフトウェア（以下、ＡＰＰと略称）を用いてグループチャットをする過程において、該ＡＰＰはユーザに対してグループチャットサービスを提供するだけでなく、一般的には、グループチャットサービス以外の付加価値サービスも提供する。ユーザが該ＡＰＰにより提供される付加価値サービスを利用する場合、該ＡＰＰは、普通、各メンバーの上記付加価値サービスの使用過程において生じる該付加価値サービスに関わる目標情報を迅速に収集することを要する。
【００３６】
例えば、該ＡＰＰはグループチャットサービスを提供するだけでなく、ユーザに対してグループアルバムや、グループ出席や、グループ活動などの機能も提供することができる。ユーザがグループアルバム機能を利用して、あるオフライン活動に関わるグループアルバムを作成した場合、該ＡＰＰは普通今回のオフライン活動に関わる写真を迅速に収集することを要する。ユーザがグループ出席機能を利用している場合、該ＡＰＰは普通各メンバーの地理的位置情報等の出席情報を迅速に収集することを要する。ユーザがグループ活動機能を利用している場合、該ＡＰＰは普通開催されたオフライン活動の主題に対する各メンバーの文字フィードバック情報、または、音声フィードバック情報を迅速に収集することを要する。
【００３７】
従来技術において、各メンバーの上記付加価値サービスの使用過程において生成した、当該付加価値サービスに関わる目標情報が上記ＡＰＰにより収集されることは、普通、ユーザによる自発的なアップロードによって実現されるので、各メンバーの目標情報を迅速に収集することはできない。
【００３８】
本実施例において、各メンバーの目標情報をより迅速に收集するために、上記目標画面において、各メンバーグにトリガーメッセージをグループ送信するための一つのトリガーオプションを予め設定することができる。
【００３９】
所定メンバーが上記ＡＰＰの提供する付加価値サービスを利用する過程において、該トリガーオプションに対し所定トリガー操作を実行することによって、他の各メンバーに一つのトリガーメッセージをグループ送信するようＡＰＰをトリガーすることができる。ここで、該トリガーメッセージは誘導テキスト及び画面切替命令を含み得る。上記誘導テキストは、該所定メンバーがカスタマイズして入力した誘導メッセージであり得、該画面切替命令は、ＡＰＰシステムがカスタマイズした、目標画面に切替るための命令であり得る。
【００４０】
これと同時に、上記所定メンバーが上記付加価値サービスを利用する過程において、上記ＡＰＰは上記トリガーオプションに対するトリガーイベントをリアルタイムでモニタリングした場合に、モニタリングされたトリガーイベントが上記所定トリガー操作に対応する所定トリガーイベントであるか否かを判定することができ、モニタリングされたトリガーイベントが上記所定トリガー操作に対応する所定トリガーイベントであると判定した場合、上記ＡＰＰをトリガーしてその他の各メンバーグに上記トリガーメッセージをグループ送信することができる。
【００４１】
ここに、次のことを説明しておく。実際的に実行する際に、上記目標画面は一つの独立した画面であり得るし、複数のサブ画面を含み得る。例えば、該目標画面がグループ出席画面である場合、該目標画面は通常に一つの独立した画面である。該目標画面がグループアルバム画面である場合、該目標画面は通常に複数のサブアルバムを含み得、このとき、該目標画面がホーム画面だけでなく、上記複数のサブアルバムにそれぞれ対応する複数のサブ画面を含み得る。該目標画面がグループ活動画面である場合、該目標画面は通常に複数の活動主題を含み得、このとき、該目標画面はホーム画面だけでなく、上記複数の活動主題にそれぞれ対応する複数のサブ画面を含み得る。
【００４２】
以下、上記のように記載されている二つの状況に応じて、上記ＡＰＰが各メンバーに前記トリガーメッセージをグループ送信する過程について説明を行う。
【００４３】
示される一実施形態において、上記目標画面が一つの独立した画面である場合、上記トリガーオプションは予め該目標画面の独立した画面に設定され得る。上記ＡＰＰが上記トリガーオプションに対する所定トリガーイベントをモニタリングした場合、上記所定メンバーに第１の設定画面を出力でき、このとき、該所定メンバーは該第１の設定画面に誘導テキストを入力することができる。
【００４４】
入力済みの後、該ＡＰＰは該所定メンバーが該第１の設定画面に入力した誘導テキストを取得でき、そして、取得された該誘導テキスト、及び該目標画面に切替えるための所定画面切替命令に基づき、上記トリガーメッセージを作成する。トリガーメッセージの作成に成功した後、該ＡＰＰのグループチャット機能によって該トリガーメッセージを各メンバーにグループ送信することができる。ここで、上記所定タッチ操作はクリック操作であり得、上記所定タッチイベントは上記クリック操作に対応するクリックイベントであり得る。
【００４５】
示された他の実施形態において、上記目標画面が複数のサブ画面を含む場合、上記トリガーオプションは予めそれぞれ該目標画面のホーム画面、及び各サブ画面に設定されることができる。上記ＡＰＰは、上記サブ画面におけるトリガーオプションに対する所定トリガーイベントをモニタリングした場合、依然として上記所定メンバーに上記第１の設定画面を出力することができる。その具体的な実現過程について詳しく説明しない。
【００４６】
上記ＡＰＰは、上記ホーム画面におけるトリガーオプションに対する所定トリガーイベントをモニタリングした場合、上記所定メンバーに第２の設定画面を出力することができ、このとき、該所定メンバーは該第２の設定画面に誘導テキストを入力するとともに、該第２の設定画面から対応の目標サブ画面を選択することができる。
【００４７】
入力済みの後、該ＡＰＰは、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき、上記トリガーメッセージを作成することができる。トリガーメッセージの作成に成功した後、該ＡＰＰのグループチャット機能によって該トリガーメッセージを各メンバーにグループ送信することができる。
【００４８】
ここで、上記所定メンバーはグループ管理者またはグループ管理者に相当する権限を有するメンバーであり得る。例えば、上記目標画面がグループ出席画面である場合、該所定メンバーはグループ管理者であり得る。上記目標画面がグループアルバム画面である場合、該所定メンバーはグループ管理者及び上記グループアルバム画面における各サブアルバムの作成者であり得る。上記目標画面がグループ活動画面である場合、該所定メンバーはグループ管理者及び上記グループ活動画面における各活動主題の主催者であり得る。
【００４９】
本実施例において、上記ＡＰＰが上記トリガーメッセージをグループ送信して、各メンバーのＡＰＰが上記トリガーメッセージを受けた場合、該トリガーメッセージにおける誘導テキストに基づき、対応するテキストリンクを生成でき、そして、生成されたテキストリンクをグループチャット画面に表示する。ここで、グループチャット画面におけるグループチャットメッセージが多くあるため、上記ＡＰＰが該テキストリンクをグループチャット画面に表示するときに、それを強調表示することができる。例えば、該テキストリンクをハイライトさせる、または、特別なフォントで表示することができる。
【００５０】
該テキストリンクがグループチャット画面に表示された後、各メンバーは該テキストリンクに対し所定トリガー操作を行うことによって、対応の目標画面に切替えるよう上記ＡＰＰをトリガーすることができる。これと同時に、上記ＡＰＰはバックグラウンドで該テキストリンクに対するトリガーイベントをモニタリングすることができ、該テキストリンクに対する、上記所定トリガー操作に対応する所定トリガーイベントをモニタリングした場合、バックグラウンドで上記トリガーメッセージに含まれる画面切替命令を自動的に実行し、対応の目標画面に切替えることができる。対応の目標画面に切替わった後、上記ＡＰＰは前記目標画面に入力された目標情報を取得するとともに、取得された前記目標情報を対応のサービス側にアップロードすることによって、前記目標情報を収集することができる。
【００５１】
以下、２つの具体的な実例を通して上記の技術方案を説明する。
【００５２】
一方では、上記目標画面がグループ出席画面であるとすれば、上記トリガーオプションは該グループ出席画面における「皆さんの出席を誘う」という一つのトリガーオプションであり得る。
【００５３】
ＡＰＰは、該画面における上記トリガーオプションに対するクリックイベントをモニタリングした場合、上記所定メンバーに上記第１の設定画面を出力するとともに、該所定メンバーが該第１の設定画面に入力した誘導テキストを取得し、そして、取得された該誘導テキスト、及び該目標画面に切替るための所定画面切替命令に基づき上記トリガーメッセージを作成する。
【００５４】
ここで、該誘導テキストは「皆さん、自分の地理位置をアップロードしてご出席を取ってください」という誘導テキストであり得、該画面切替命令は該ＡＰＰシステムのカスタマイズした「ｍｉｔａｌｋ：／／ｃｏｎｔｒｏｌ／ｊｕｍｐ＿ｔｏ＿ｌｏｃａｔｉｏｎ」（ロケーション画面に切替えることを表示する）という画面切替命令であり得、この場合、上記ＡＰＰにより生成されたトリガーメッセージは「皆さん、自分の地理位置をアップロードしてご出席を取ってください｛  ｍｉｔａｌｋ：／／ｃｏｎｔｒｏｌ／ｊｕｍｐ＿ｔｏ＿ｌｏｃａｔｉｏｎ  ｝」というトリガーメッセージであり得る。該トリガーメッセージが作成された後、上記ＡＰＰは該トリガーメッセージを現在のグループのうちの他の各メンバーにグループ送信することができる。
【００５５】
他の各メンバーが上記トリガーメッセージを受けた後、グループチャット画面に「皆さん、自分の地理位置をアップロードしてご出席を取ってください」というテキストリンクをハイライトさせ得、この場合、上記ＡＰＰはバックグラウンドで該テキストリンクに対する所定トリガーイベントをリアルタイムでモニタリングすることができる。
【００５６】
上記ＡＰＰは、該テキストリンクに対する所定トリガーイベント（例えば、クリックイベント）をモニタリングした場合、バックグラウンドで上記「ｍｉｔａｌｋ：／／ｃｏｎｔｒｏｌ／ｊｕｍｐ＿ｔｏ＿ｌｏｃａｔｉｏｎ」という命令を自動的に実行してから、ロケーション画面に切替えることができる。ロケーション画面において「位置をアップロードする」というオプションを提供してあり、ローカルメンバーは該オプションをクリックして自分の地理的位置情報をサービス側にアップロードして出席を取ることができる。出席の取り済みの後、グループの各メンバーのチェックをするために、上記ＡＰＰは、サービス側に保存されている、各メンバーによりアップロードされた地理的位置情報を、ローカルと同期させることができる。
【００５７】
これから分かるように、このような方式によって、メンバーが上記ＡＰＰにより提供されるグループ出席サービスを利用する際に、グループ管理者は各メンバーの地理的位置情報を迅速に収集できるため、ユーザのグループチャット体験を向上できる。
【００５８】
一方、該目標画面がグループアルバム画面であるとすれば、上記トリガーオプションは、該グループアルバム画面のホーム画面、または、各サブ画面における「イメージをアップロードするよう誘う」というトリガーオプションであり得る。ＡＰＰは、ホーム画面における上記トリガーオプションに対するクリックイベントをモニタリングした場合、上記所定メンバーに上記第２の設定画面を出力するとともに、該所定メンバーが該第２の設定画面に入力した誘導テキスト、及び該第２の設定画面から選択した目標サブ画面を取得し、バックグラウンドで該目標サブ画面に切替えるための画面切替命令を生成し、そして、取得された該誘導テキスト及び生成した該画面切替命令に基づき上記トリガーメッセージを作成することができる。当然のことながら、ＡＰＰは、サブ画面における上記トリガーオプションに対するクリックイベントをモニタリングした場合、上記所定メンバーに第１の設定画面を出力することができる。例えば、該所定メンバーが一つのサブアルバムを作成した後、該サブアルバムにおける上記トリガーオプションをクリックすることによって、上記トリガーメッセージをグループ送信するよう上記ＡＰＰをトリガーすることができる。その具体的な実現過程について詳しく説明しない。
【００５９】
ここで、上記誘導テキストは「皆さんの今回の活動の個人写真をアップロードしてください」という誘導テキストであり得、上記画面切替命令は該ＡＰＰシステムのカスタマイズした「ｍｉｔａｌｋ：／／ｃｏｎｔｒｏｌ／ｊｕｍｐ＿ｔｏ＿ｔａｋｅ＿ｐｈｏｔｏ」（選択されたサブアルバムのアップロード画面に切替えることを表す）の画面切替命令であり得、この場合、上記ＡＰＰにより生成されたトリガーメッセージは「皆さんの今回の活動の個人写真をアップロードしてください｛  ｍｉｔａｌｋ：／／ｃｏｎｔｒｏｌ／ｊｕｍｐ＿ｔｏ＿ｔａｋｅ＿ｐｈｏｔｏ  ｝」というトリガーメッセージであり得る。該トリガーメッセージが作成された後、上記ＡＰＰは該トリガーメッセージを現在のグループのうちの他の各メンバーにグループ送信することができる。
【００６０】
他の各メンバーが上記トリガーメッセージを受けた後、グループチャット画面において「皆さんの今回の活動の個人写真をアップロードしてください」というテキストリンクをハイライトさせ得、この場合、上記ＡＰＰはバックグラウンドで該テキストリンクに対する所定トリガーイベントをリアルタイムでモニタリングすることができる。
【００６１】
上記ＡＰＰは、該テキストリンクに対する所定トリガーイベント（例えば、イベントをクリックする）をモニタリングした場合、バックグラウンドで上記「ｍｉｔａｌｋ：／／ｃｏｎｔｒｏｌ／ｊｕｍｐ＿ｔｏ＿ｔａｋｅ＿ｐｈｏｔｏ」という命令を自動的に実行してから、選択されたサブアルバムのアップロード画面に切替えることができる。アップロード画面において「写真をアップロードする」オプションを提供することにより、ローカルメンバーは該オプションをクリックしてアップロードする必要のあるローカル写真を選択して、サービス側の該サブアルバムにアップロードすることができる。アップロード後、グループの各メンバーのチェックをするために、上記ＡＰＰは、サービス側に保存されている該サブアルバムにおける各メンバーによりアップロードされた写真を、ローカルと同期させることができる。
【００６２】
これから分かるように、このような方式によって、メンバーが上記ＡＰＰにより提供されたグループアルバムサービスを利用する際に、グループ管理者は各メンバーの写真を迅速に収集できるので、ユーザのグループチャット体験を向上できる。
【００６３】
なお、実行する際に、上記目標画面はグループ活動画面であってもよく、グループ活動画面は複数のグループ活動主題を含み、それぞれの主題はサブ画面に別々に対応し、上記トリガーオプションはホーム画面及び各サブ画面にそれぞれ設定されることができる。上記所定メンバーは該トリガーオプションに対し所定トリガー操作を実行することによって、一つの活動主題を選択するとともに、ローカルメンバーが該活動主題に対してフィードバックしたテキスト情報またはサウンド情報を収集するよう上記ＡＰＰをトリガーして、収集された情報を対応のサービス側にアップロードすることができる。ここで、このような応用状況に関しては、その具体的な実現過程は上記のように記載されている上記目標画面がグループアルバム画面である応用状況の実現過程と同一であるので、ここに詳しく説明しない。
【００６４】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【００６５】
図２に示すように、図２は例示的な実施例における情報収集方法を示す。該情報収集方法は端末に用いられ、下記のステップを含む：
ステップ２０１において、所定メンバーからグループ送信された、誘導テキスト及び画面切替命令を含むトリガーメッセージを受ける。
【００６６】
ステップ２０２において、前記誘導テキストに基づき対応のテキストリンクを生成するとともに、グループチャット画面に前記テキストリンクを強調表示する。
【００６７】
ステップ２０３において、前記テキストリンクに対する所定トリガーイベントをモニタリングした場合、前記画面切替命令を実行して対応の目標画面に切替える。
【００６８】
ステップ２０４において、前記目標画面に入力された目標情報を取得する。
【００６９】
ステップ２０５において、取得された前記目標情報を対応のサービス側にアップロードすることによって、前記目標情報を収集する。
【００７０】
ここで、上記ステップ２０１〜ステップ２０５に係わる技術方案は次の通り理解され得る。即ち、上記端末にインストールされているグループチャットクライアントソフトウェア（例えば、インスタントメッセージＡＰＰ）には情報収集論理（プログラム）はロードされ、該グループチャットクライアントソフトウェアが上記情報収集論理（プログラム）を作動させることによって、グループチャット実行中においてメンバーの目標情報を迅速に収集することができる。
【００７１】
本実施例において、上記端末はユーザのモバイル端末であり得る。例えば、該モバイル端末はユーザのタッチパネルスマートフォンであり得る。上記目標画面はグループアルバム画面、（サインで出席を取る）グループ出席画面及びグループ活動画面を含み得る。上記目標情報はイメージ情報、地理的位置情報、サウンド情報及びテキスト情報を含み得る。実行する際に、上記目標画面及び目標情報が上記記載内容の言及したコンテンツだけでなくそれ以外のコンテンツをも含み得ることは勿論なことである。
【００７２】
ユーザが端末にインストールされているクライアントソフトウェア（以下、ＡＰＰと略称）を用いてグループチャットをする過程において、該ＡＰＰはユーザに対してグループチャットサービスを提供するだけでなく、一般的には、グループチャットサービス以外の付加価値サービスも提供する。ユーザが該ＡＰＰにより提供される付加価値サービスを利用する場合、該ＡＰＰは、普通、各メンバーの上記付加価値サービスの使用過程において生じる該付加価値サービスに関わる目標情報を迅速に収集することを要する。
【００７３】
例えば、該ＡＰＰはグループチャットサービスを提供するだけでなく、ユーザに対してグループアルバムや、グループ出席や、グループ活動などの機能も提供することができる。ユーザがグループアルバム機能を利用して、あるオフライン活動に関わるグループアルバムを作成した場合、該ＡＰＰは普通今回のオフライン活動に関わる写真を迅速に収集することを要する。ユーザがグループ出席機能を利用している場合、該ＡＰＰは普通各メンバーの地理的位置情報等の出席情報を迅速に収集することを要する。ユーザがグループ活動機能を利用している場合、該ＡＰＰは普通開催されたオフライン活動の主題に対する各メンバーの文字フィードバック情報、または、音声フィードバック情報を迅速に収集することを要する。
【００７４】
従来技術において、各メンバーの上記付加価値サービスの使用過程において生成した、当該付加価値サービスに関わる目標情報が上記ＡＰＰにより収集されることは、普通、ユーザによる自発的なアップロードによって実現されるので、各メンバーの目標情報を迅速に収集することはできない。
【００７５】
本実施例において、各メンバーの目標情報をより迅速に收集するために、上記目標画面において、各メンバーグにトリガーメッセージをグループ送信するための一つのトリガーオプションを予め設定することができる。
【００７６】
所定メンバーが上記ＡＰＰの提供する付加価値サービスを利用する過程において、該トリガーオプションに対し所定トリガー操作を実行することによって、他の各メンバーに一つのトリガーメッセージをグループ送信するようＡＰＰをトリガーすることができる。ここで、該トリガーメッセージは誘導テキスト及び画面切替命令を含み得る。上記誘導テキストは、該所定メンバーがカスタマイズして入力した誘導メッセージであり得、該画面切替命令は、ＡＰＰシステムがカスタマイズした、目標画面に切替るための命令であり得る。
【００７７】
これと同時に、上記所定メンバーが上記付加価値サービスを利用する過程において、上記ＡＰＰは上記トリガーオプションに対するトリガーイベントをリアルタイムでモニタリングした場合に、モニタリングされたトリガーイベントが上記所定トリガー操作に対応する所定トリガーイベントであるか否かを判定することができ、モニタリングされたトリガーイベントが上記所定トリガー操作に対応する所定トリガーイベントであると判定した場合、上記ＡＰＰをトリガーしてその他の各メンバーグに上記トリガーメッセージをグループ送信することができる。
【００７８】
ここに、次のことを説明しておく。実際的に実行する際に、上記目標画面は一つの独立した画面であり得るし、複数のサブ画面を含み得る。例えば、該目標画面がグループ出席画面である場合、該目標画面は通常に一つの独立した画面である。該目標画面がグループアルバム画面である場合、該目標画面は通常に複数のサブアルバムを含み得、このとき、該目標画面がホーム画面だけでなく、上記複数のサブアルバムにそれぞれ対応する複数のサブ画面を含み得る。該目標画面がグループ活動画面である場合、該目標画面は通常に複数の活動主題を含み得、このとき、該目標画面はホーム画面だけでなく、上記複数の活動主題にそれぞれ対応する複数のサブ画面を含み得る。
【００７９】
以下、上記のように記載されている二つの状況に応じて、上記ＡＰＰが各メンバーに前記トリガーメッセージをグループ送信する過程について説明を行う。
【００８０】
示される一実施形態において、上記目標画面が一つの独立した画面である場合、上記トリガーオプションは予め該目標画面の独立した画面に設定され得る。上記ＡＰＰが上記トリガーオプションに対する所定トリガーイベントをモニタリングした場合、上記所定メンバーに第１の設定画面を出力でき、このとき、該所定メンバーは該第１の設定画面に誘導テキストを入力することができる。
【００８１】
入力済みの後、該ＡＰＰは該所定メンバーが該第１の設定画面に入力した誘導テキストを取得でき、そして、取得された該誘導テキスト、及び該目標画面に切替えるための所定画面切替命令に基づき、上記トリガーメッセージを作成する。トリガーメッセージの作成に成功した後、該ＡＰＰのグループチャット機能によって該トリガーメッセージを各メンバーにグループ送信することができる。ここで、上記所定タッチ操作はクリック操作であり得、上記所定タッチイベントは上記クリック操作に対応するクリックイベントであり得る。
【００８２】
示された他の実施形態において、上記目標画面が複数のサブ画面を含む場合、上記トリガーオプションは予めそれぞれ該目標画面のホーム画面、及び各サブ画面に設定されることができる。上記ＡＰＰは、上記サブ画面におけるトリガーオプションに対する所定トリガーイベントをモニタリングした場合、依然として上記所定メンバーに上記第１の設定画面を出力することができる。その具体的な実現過程について詳しく説明しない。
【００８３】
上記ＡＰＰは、上記ホーム画面におけるトリガーオプションに対する所定トリガーイベントをモニタリングした場合、上記所定メンバーに第２の設定画面を出力することができ、このとき、該所定メンバーは該第２の設定画面に誘導テキストを入力するとともに、該第２の設定画面から対応の目標サブ画面を選択することができる。
【００８４】
入力済みの後、該ＡＰＰは、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき、上記トリガーメッセージを作成することができる。トリガーメッセージの作成に成功した後、該ＡＰＰのグループチャット機能によって該トリガーメッセージを各メンバーにグループ送信することができる。
【００８５】
ここで、上記所定メンバーはグループ管理者またはグループ管理者に相当する権限を有するメンバーであり得る。例えば、上記目標画面がグループ出席画面である場合、該所定メンバーはグループ管理者であり得る。上記目標画面がグループアルバム画面である場合、該所定メンバーはグループ管理者及び上記グループアルバム画面における各サブアルバムの作成者であり得る。上記目標画面がグループ活動画面である場合、該所定メンバーはグループ管理者及び上記グループ活動画面における各活動主題の主催者であり得る。
【００８６】
本実施例において、上記ＡＰＰが上記トリガーメッセージをグループ送信して、各メンバーのＡＰＰが上記トリガーメッセージを受けた場合、該トリガーメッセージにおける誘導テキストに基づき、対応するテキストリンクを生成でき、そして、生成されたテキストリンクをグループチャット画面に表示する。ここで、グループチャット画面におけるグループチャットメッセージが多くあるため、上記ＡＰＰが該テキストリンクをグループチャット画面に表示するときに、それを強調表示することができる。例えば、該テキストリンクをハイライトさせる、または、特別なフォントで表示することができる。
【００８７】
該テキストリンクがグループチャット画面に表示された後、各メンバーは該テキストリンクに対し所定トリガー操作を行うことによって、対応の目標画面に切替えるよう上記ＡＰＰをトリガーすることができる。これと同時に、上記ＡＰＰはバックグラウンドで該テキストリンクに対するトリガーイベントをモニタリングすることができ、該テキストリンクに対する、上記所定トリガー操作に対応する所定トリガーイベントをモニタリングした場合、バックグラウンドで上記トリガーメッセージに含まれる画面切替命令を自動的に実行し、対応の目標画面に切替えることができる。対応の目標画面に切替わった後、上記ＡＰＰは前記目標画面に入力された目標情報を取得するとともに、取得された前記目標情報を対応のサービス側にアップロードすることによって、前記目標情報を収集することができる。
【００８８】
以下、２つの具体的な実例を通して上記の技術方案を説明する。
【００８９】
一方では、上記目標画面がグループ出席画面であるとすれば、上記トリガーオプションは該グループ出席画面における「皆さんの出席を誘う」という一つのトリガーオプションであり得る。
【００９０】
ＡＰＰは、該画面における上記トリガーオプションに対するクリックイベントをモニタリングした場合、上記所定メンバーに上記第１の設定画面を出力するとともに、該所定メンバーが該第１の設定画面に入力した誘導テキストを取得し、そして、取得された該誘導テキスト、及び該目標画面に切替るための所定画面切替命令に基づき上記トリガーメッセージを作成する。
【００９１】
ここで、該誘導テキストは「皆さん、自分の地理位置をアップロードしてご出席を取ってください」という誘導テキストであり得、該画面切替命令は該ＡＰＰシステムのカスタマイズした「ｍｉｔａｌｋ：／／ｃｏｎｔｒｏｌ／ｊｕｍｐ＿ｔｏ＿ｌｏｃａｔｉｏｎ」（ロケーション画面に切替えることを表示する）という画面切替命令であり得、この場合、上記ＡＰＰにより生成されたトリガーメッセージは「皆さん、自分の地理位置をアップロードしてご出席を取ってください｛  ｍｉｔａｌｋ：／／ｃｏｎｔｒｏｌ／ｊｕｍｐ＿ｔｏ＿ｌｏｃａｔｉｏｎ  ｝」というトリガーメッセージであり得る。該トリガーメッセージが作成された後、上記ＡＰＰは該トリガーメッセージを現在のグループのうちの他の各メンバーにグループ送信することができる。
【００９２】
他の各メンバーが上記トリガーメッセージを受けた後、グループチャット画面に「皆さん、自分の地理位置をアップロードしてご出席を取ってください」というテキストリンクをハイライトさせ得、この場合、上記ＡＰＰはバックグラウンドで該テキストリンクに対する所定トリガーイベントをリアルタイムでモニタリングすることができる。
【００９３】
上記ＡＰＰは、該テキストリンクに対する所定トリガーイベント（例えば、クリックイベント）をモニタリングした場合、バックグラウンドで上記「ｍｉｔａｌｋ：／／ｃｏｎｔｒｏｌ／ｊｕｍｐ＿ｔｏ＿ｌｏｃａｔｉｏｎ」という命令を自動的に実行してから、ロケーション画面に切替えることができる。ロケーション画面において「位置をアップロードする」というオプションを提供してあり、ローカルメンバーは該オプションをクリックして自分の地理的位置情報をサービス側にアップロードして出席を取ることができる。出席の取り済みの後、グループの各メンバーのチェックをするために、上記ＡＰＰは、サービス側に保存されている、各メンバーによりアップロードされた地理的位置情報を、ローカルと同期させることができる。
【００９４】
これから分かるように、このような方式によって、メンバーが上記ＡＰＰにより提供されるグループ出席サービスを利用する際に、グループ管理者は各メンバーの地理的位置情報を迅速に収集できるため、ユーザのグループチャット体験を向上できる。
【００９５】
他方では、該目標画面がグループアルバム画面であるとすれば、上記トリガーオプションは、該グループアルバム画面のホーム画面、または、各サブ画面における「イメージをアップロードするよう誘う」というトリガーオプションであり得る。ＡＰＰは、ホーム画面における上記トリガーオプションに対するクリックイベントをモニタリングした場合、上記所定メンバーに上記第２の設定画面を出力するとともに、該所定メンバーが該第２の設定画面に入力した誘導テキスト、及び該第２の設定画面から選択した目標サブ画面を取得するとともに、バックグラウンドで該目標サブ画面に切替えるための画面切替命令を生成し、そして、取得された該誘導テキスト及び生成した該画面切替命令に基づき上記トリガーメッセージを作成することができる。当然のことながら、ＡＰＰは、サブ画面における上記トリガーオプションに対するクリックイベントをモニタリングした場合、上記所定メンバーに第１の設定画面を出力することができる。例えば、該所定メンバーが一つのサブアルバムを作成した後、該サブアルバムにおける上記トリガーオプションをクリックすることによって、上記トリガーメッセージをグループ送信するよう上記ＡＰＰをトリガーすることができる。その具体的な実現過程について詳しく説明しない。
【００９６】
ここで、上記誘導テキストは「皆さんの今回の活動の個人写真をアップロードしてください」という誘導テキストであり得、上記画面切替命令は該ＡＰＰシステムのカスタマイズした「ｍｉｔａｌｋ：／／ｃｏｎｔｒｏｌ／ｊｕｍｐ＿ｔｏ＿ｔａｋｅ＿ｐｈｏｔｏ」（選択されたサブアルバムのアップロード画面に切替えることを表す）の画面切替命令であり得、この場合、上記ＡＰＰにより生成されたトリガーメッセージは「皆さんの今回の活動の個人写真をアップロードしてください｛  ｍｉｔａｌｋ：／／ｃｏｎｔｒｏｌ／ｊｕｍｐ＿ｔｏ＿ｔａｋｅ＿ｐｈｏｔｏ  ｝」というトリガーメッセージであり得る。該トリガーメッセージが作成された後、上記ＡＰＰは該トリガーメッセージを現在のグループのうちの他の各メンバーにグループ送信することができる。
【００９７】
他の各メンバーが上記トリガーメッセージを受けた後、グループチャット画面において「皆さんの今回の活動の個人写真をアップロードしてください」というテキストリンクをハイライトさせ得、この場合、上記ＡＰＰはバックグラウンドで該テキストリンクに対する所定トリガーイベントをリアルタイムでモニタリングすることができる。
【００９８】
上記ＡＰＰは、該テキストリンクに対する所定トリガーイベント（例えば、イベントをクリックする）をモニタリングした場合、バックグラウンドで上記「ｍｉｔａｌｋ：／／ｃｏｎｔｒｏｌ／ｊｕｍｐ＿ｔｏ＿ｔａｋｅ＿ｐｈｏｔｏ」という命令を自動的に実行してから、選択されたサブアルバムのアップロード画面に切替えることができる。アップロード画面において「写真をアップロードする」オプションを提供することにより、ローカルメンバーは該オプションをクリックしてアップロードする必要のあるローカル写真を選択して、サービス側の該サブアルバムにアップロードすることができる。アップロード後、グループの各メンバーのチェックをするために、上記ＡＰＰは、サービス側に保存されている該サブアルバムにおける各メンバーによりアップロードされた写真を、ローカルと同期させることができる。
【００９９】
これから分かるように、このような方式によって、メンバーが上記ＡＰＰにより提供されたグループアルバムサービスを利用する際に、グループ管理者は各メンバーの写真を迅速に収集できるので、ユーザのグループチャット体験を向上できる。
【０１００】
なお、実行する際に、上記目標画面はグループ活動画面であってもよく、グループ活動画面は複数のグループ活動主題を含み、それぞれの主題はサブ画面に別々に対応し、上記トリガーオプションはホーム画面及び各サブ画面にそれぞれ設定されることができる。上記所定メンバーは該トリガーオプションに対し所定トリガー操作を実行することによって、一つの活動主題を選択するとともに、ローカルメンバーが該活動主題に対してフィードバックしたテキスト情報またはサウンド情報を収集するよう上記ＡＰＰをトリガーして、収集された情報を対応のサービス側にアップロードすることができる。ここで、このような応用状況に関しては、その具体的な実現過程は上記のように記載されている上記目標画面がグループアルバム画面である応用状況の実現過程と同一であるので、ここに詳しく説明しない。
【０１０１】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【０１０２】
上記情報収集方法の実施例に対応するように、本発明はさらに情報收集装置の実施例も提供する。
【０１０３】
図３は例示的な実施例における情報收集装置を模式的に示すブロック図である。
【０１０４】
図３に示すように、例示的な実施例における情報收集装置３００は、受信モジュール３０１、表示モジュール３０２、及び切替モジュール３０３を含んでおり、
前記受信モジュール３０１は、所定メンバーからグループ送信された、誘導テキスト及び画面切替命令を含むトリガーメッセージを受けるように構成され、
前記示モジュール３０２は、前記誘導テキストに基づき対応のテキストリンクを作成するとともに、グループチャット画面に前記テキストリンクを表示するように構成され、
前記切替モジュール３０３は、前記テキストリンクに対する所定トリガーイベントをモニタリングした場合、前記画面切替命令を実行することによって対応の目標画面に切替わって、目標情報を収集するように構成されている。
【０１０５】
上記実施例において、所定メンバーからグループ送信された誘導テキスト及び画面切替命令を含むトリガーメッセージを受けることによって、前記誘導テキストに基づき対応のテキストリンクを作成するとともに、グループチャット画面に前記テキストリンクを表示する。前記テキストリンクに対する所定トリガーイベントをモニタリングした場合、前記画面切替命令を実行して対応の目標画面に切替えて目標情報を収集することによって、グループチャットの実行中におけるメンバーの目標情報を迅速に収集することができ、ユーザのグループチャット体験の向上に役立てる。
【０１０６】
図４を参照すると、図４は本発明の例示的な実施例における他の装置を示すブロック図である。該実施例は、前記図３に示す実施例を基に、ローカルメンバーが前記所定メンバーである場合、前記目標画面は所定トリガーオプションを含み、前記所定トリガーオプションは各メンバーに前記トリガーメッセージをグループ送信することをトリガーするために用いられる。前記装置３００はさらに、第１の出力モジュール３０４、第１の取得モジュール３０５、及び第１のグループ送信モジュール３０６を含んでおり、
前記第１の出力モジュール３０４は、前記所定トリガーオプションに対する所定トリガーイベントをモニタリングした場合、第１の設定画面を出力するように構成され、
前記第１の取得モジュール３０５は、前記第１の設定画面に入力された誘導テキストを取得するように構成され、
前記第１のグループ送信モジュール３０６は、前記第１の取得モジュール３０５により取得された前記誘導テキスト及び前記目標画面に切替えるための所定画面切替命令に基づき、前記トリガーメッセージを作成するとともに、該トリガーメッセージを各メンバーにグループ送信するように構成されている。
【０１０７】
図５を参照すると、図５は本発明の例示的な実施例における他の装置を示すブロック図である。該実施例は、前記図３に示す実施例を基に、ローカルメンバーが前記所定メンバーである場合、前記目標画面は所定トリガーオプションを含み、前記所定トリガーオプションは各メンバーに前記トリガーメッセージをグループ送信することをトリガーするために用いられる。前記装置３００はさらに、第２の出力モジュール３０７、第２の取得モジュール３０８、第３の取得モジュール３０９、及び第２のグループ送信モジュール３１０を含んでおり、
前記第２の出力モジュール３０７は、前記所定トリガーオプションに対する所定トリガーイベントをモニタリングした場合、第２の設定画面を出力するように構成され、
前記第２の取得モジュール３０８は、ユーザが前記第２の設定画面に入力した誘導テキストを取得するように構成され、
前記第３の取得モジュール３０９は、ユーザが前記第２の設定画面から選択した目標画面を取得するとともに、該目標画面に切替えるための画面切替命令を生成するように構成され、
前記第２のグループ送信モジュール３１０は、前記第２の取得モジュール３０８により取得された前記誘導テキスト、及び前記第３の取得モジュール３０９により生成された前記画面切替命令に基づき、前記トリガーメッセージを作成するとともに、該トリガーメッセージを各メンバーにグループ送信するように構成されている。
【０１０８】
ここに、次のことを説明しておく。上記図５に示す装置に係わる実施例に示される第２の出力モジュール３０７、第２の取得モジュール３０８、第３の取得モジュール３０９、及び第２のグループ送信モジュール３１０の構造は、前記図４に示す装置に係わる実施例に含まれ得る。本発明はこれを限定するものではない。
【０１０９】
図６を参照すると、図６は本発明の例示的な実施例における他の装置を示すブロック図である。該実施例は前記図３に示す実施例を基に、前記表示モジュール３０２は、グループチャット画面に前記テキストリンクを強調表示するように構成されている表示サブモジュール３０２Ａを含み得る。
【０１１０】
ここに、次のことを説明しておく。上記図６に示す装置に係わる実施例に示される表示サブモジュール３０２Ａの構造は前記図４〜５に示す装置に係わる実施例に含まれ得る。本発明はこれを限定するものではない。
【０１１１】
上記の各実施例において、前記目標画面は、グループアルバム画面、グループ出席画面、及びグループ活動画面を含み得る。前記目標情報は、イメージ情報、地理的位置情報、サウンド情報、及びテキスト情報を含み得る。
【０１１２】
上記装置における各モジュールの機能及び作用の実現過程としては、具体的には、上記方法における対応のステップの実現過程を参照する。ここに詳しく説明しない。
【０１１３】
装置実施例としては、それがだいたい方法実施例に対応しているので、方法実施例における対応箇所の説明を参照すればよい。上記のように記載されている装置実施例は模式的なものだけであり、分離の部材として説明される前記モジュールは物理的に分離されるものであってもよいし、そうではなくてもよく、モジュールとして表示される部材は物理的モジュールであってもよいし、そうではなくてもよく、即ち、一つの箇所に位置してもよいし複数のネットワークモジュールに分布してもよい。実際的な必要に応じて、そのうちの一部または全部のモジュールを選択して本発明に係る方案の目的を実現することができる。当業者は創造的な労働を必要としなくても理解して実施することができる。
【０１１４】
相応に、本発明はさらに情報收集装置を提供し、前記装置は、
プロセッサにより実行可能な指令を記憶するためのメモリと、を含み、
前記プロセッサは、
所定メンバーからグループ送信された、誘導テキスト及び画面切替命令を含むトリガーメッセージを受け、
前記誘導テキストに基づき対応のテキストリンクを作成するとともに、グループチャット画面に前記テキストリンクを表示し、
前記テキストリンクに対する所定トリガーイベントをモニタリングした場合、前記画面切替命令を実行することで対応の目標画面に切替えて目標情報を収集する。
【０１１５】
相応に、本発明はさらにメモリと、前記メモリに記憶されている一つ以上のプログラムとを含む端末を提供しており、前記端末が、
所定メンバーからグループ送信された、誘導テキスト及び画面切替命令を含むトリガーメッセージを受ける命令と、
前記誘導テキストに基づき対応のテキストリンクを作成するとともに、グループチャット画面に前記テキストリンクを表示する命令と、
前記テキストリンクに対する所定トリガーイベントをモニタリングした場合、前記画面切替命令を実行することで対応の目標画面に切替えて目標情報を収集する命令と、を実行するように、
一つ以上のプロセッサにより前記一つ以上のプログラムを実行するように構成されている。
【０１１６】
図７は例示的な実施例における情報收集装置の構造を模式的に示す図である。
【０１１７】
図７に示すように、例示的な実施例における情報收集装置７００は、携帯電話、スマートデバイス、コンピュータ、デジタル放送端末、メッセージ受発信手段、ゲームコンソール、タブレットデバイス、医療機器、フィットネス機器、パーソナルデジタルアシスタント等であってもよい。
【０１１８】
図７を参照して、装置７００は、プロセッサアセンブリ７０１、メモリ７０２、電源アセンブリ７０３、マルチメディアアセンブリ７０４、オーディオアセンブリ７０５、入力／出力（Ｉ／Ｏ）インターフェイス７０６、センサアセンブリ７０７、及び通信アセンブリ７０８のような一つ以上のアセンブリを含んでよい。
【０１１９】
プロセッサアセンブリ７０１は、一般的には装置７００の全体の操作を制御するものであり、例えば、表示、電話呼び出し、データ通信、カメラ操作、及び記録操作と関連する操作を制御する。プロセッサアセンブリ７０１は、一つ以上のプロセッサ７０９を含み、これらによって命令を実行することにより、上記の方法の全部、或は一部のステップを実現するようにしてもよい。なお、プロセッサアセンブリ７０１は、一つ以上のモジュールを含み、これらによってプロセッサアセンブリ７０１と他のアセンブリの間のインタラクションを容易にするようにしてもよい。例えば、プロセッサアセンブリ７０１は、マルチメディアモジュールを含み、これらによってマルチメディアアセンブリ７０４とプロセッサアセンブリ７０１の間のインタラクションを容易にするようにしてもよい。
【０１２０】
メモリ７０２は、各種類のデータを記憶することにより装置７００の操作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０２は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２１】
電源アセンブリ７０３は、装置７００の多様なアセンブリに電力を供給する。電源アセンブリ７０３は、電源管理システム、一つ以上の電源、及び装置７００のための電力の生成、管理及び割り当てに関連する他のアセンブリを含んでもよい。
【０１２２】
マルチメディアアセンブリ７０４は、前記装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ７０４は、一つのフロントカメラ、及び／又はリアーカメラを含む。装置７００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１２３】
オーディオアセンブリ７０５は、オーディオ信号をインターフェイスするように構成されてもよい。例えば、オーディオアセンブリ７０５は、一つのマイク（ＭＩＣ）を含み、装置７００、例えば呼出しモード、記録モード、及び音声認識モード等の操作モードにある場合、マイクは外部のオーディオ信号を受信することができる。受信されたオーディオ信号は、さらにメモリ７０２に記憶されたり、通信アセンブリ７０８を介して送信されたりされる。上記の実施例において、オーディオアセンブリ７０５は、オーディオ信号を出力するための一つのスピーカーをさらに含む。
【０１２４】
入力／出力（Ｉ／Ｏ）インターフェイス７０６は、プロセッサアセンブリ７０１と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２５】
センサアセンブリ７０７は、装置７００に各方面の状態に対する評価を提供するための一つ以上のセンサを含む。例えば、センサアセンブリ７０７は、装置７００のＯＮ／ＯＦＦ状態、装置７００のディスプレイとキーパッドのようなアセンブリの相対的な位置決めを検出できる。また、例えば、センサアセンブリ７０７は、装置７００、或は装置７００の一つのアセンブリの位置変更、ユーザと装置７００とが接触しているか否か、装置７００の方位、又は加速／減速、装置７００の温度の変化を検出できる。センサアセンブリ７０７は、何れの物理的接触がない状態にて付近の物体の存在を検出するための近接センサを含んでもよい。センサアセンブリ７０７は、撮影アプリケーションに適用するため、ＣＭＯＳ、又はＣＣＤ図像センサのような光センサを含んでもよい。上記の実施例において、該センサアセンブリ７０７は、加速度センサ、ジャイロスコープセンサ、磁気センサ、圧力センサ、及び温度センサをさらに含んでもよい。
【０１２６】
通信アセンブリ７０８は、装置７００と他の機器の間に有線、又は无線形態の通信を提供する。装置７００は、例えばＷｉＦｉ（登録商標）、２Ｇ、３Ｇ、或はこれらの組み合わせのような、通信規格に基づいた无線ネットワークに接続されてもよい。一つの例示的な実施例において、通信アセンブリ７０８は、放送チャンネルを介して外部の放送管理システムからの放送信号、又は放送に関連する情報を受信する。一つの例示的な実施例において、前記通信アセンブリ７０８は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１２７】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２８】
例示的な実施例において、さらに、命令を含む不揮発的なコンピュータで読み取り可能な記憶媒体、例えば命令を含むメモリ７０２を提供しており、装置７００のプロセッサ７０９により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【０１２９】
ここで、前記記憶媒体における命令がモバイル端末におけるプロセッサにより実行される場合、モバイル端末は情報収集方法を実行することができ、
所定メンバーからグループ送信された、誘導テキスト及び画面切替命令を含むトリガーメッセージを受けるステップと、
前記誘導テキストに基づき対応のテキストリンクを作成するとともに、グループチャット画面に前記テキストリンクを表示するステップと、
前記テキストリンクに対する所定トリガーイベントをモニタリングした場合、前記画面切替命令を実行することで対応の目標画面に切替えて目標情報を収集するステップと、を含む。
【０１３０】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３１】
本発明は、上記において開示された構成又は図面に示した構造に限定されるものではなく、本発明の範囲内であれば、様々な補正又は変更を行うことができる。本発明の範囲は、特許請求の範囲により制限される。
【０１３２】
本願は、出願番号がＣＮ２０１５１０５８７７１９．４であって、出願日が２０１５年０９月１５日である中国特許出願に基づき優先権を主張し、該中国特許出願のすべての内容を本願に援用する。
【国際調査報告】
2017531275.tif 000010
2017531275.tif 000011
2017531275.tif 000012
2017531275.tif 000013